(57)【要約】  アップルｉＰｈｏｎｅ（登録商標）デジタル電子メディアデバイスなどの携帯可能なメディアデバイスと協働して使用するために適した情報システム、及びそれを製造しかつ使用する方法である。情報システムは、無線アクセスポイントを含み、パーソナルメディアデバイスを情報システムにシームレスに統合するための簡単な方法をサポートし、ユーザを豊かでかつ直観的なメディア環境に没頭させる。無線アクセスポイントの所定の範囲内に配置されるとき、携帯可能なメディアデバイスと乗り物情報システムとは、好ましくは携帯可能なメディアデバイスの認証を必要とせずに通信を開始しかつ維持する。これにより、パーソナルメディアデバイスは、制御コマンド及び視聴コンテンツを情報システムと交換することができる。これにより、ユーザは有利に、情報システムによって提供される選択された視聴コンテンツをパーソナルメディアデバイスを介して楽しむことができる。
2010539814.tif 000002
【特許請求の範囲】
【請求項１】
コンテンツソースと通信する情報システムとともに使用するために適したユーザインターフェースシステムであって、
上記提示システムは、
パーソナルメディアデバイスと上記情報システムとの間の無線通信をサポートする無線アクセスポイントと、
上記パーソナルメディアデバイスから利用可能な視聴コンテンツを提示のために選択し、かつ上記選択された視聴コンテンツの提示を制御するユーザ制御システムと、
上記選択された視聴コンテンツを提示する提示システムと、
インターフェースシステムハウジングとを備え、
上記無線アクセスポイント、上記ユーザ制御システム、及び上記提示システムのそれぞれは、上記インターフェースシステムハウジング上に設けられ、
上記パーソナルメディアデバイスと上記情報システムとが上記無線アクセスポイントを介して通信するとき、上記パーソナルメディアデバイスは、上記パーソナルメディアデバイスの認証を必要とせずに上記情報システムに統合され、かつ上記提示システムは、上記選択された視聴コンテンツを選択可能に提示し、かつ視聴コンテンツは、上記コンテンツソースから利用可能であるユーザインターフェースシステム。
【請求項２】
上記ユーザ制御システム及び上記提示システムは、タッチスクリーン表示システムに少なくとも部分的に統合される請求項１記載のユーザインターフェースシステム。
【請求項３】
上記パーソナルメディアデバイスの動作は、上記ユーザ制御システムによって制御される請求項１記載のユーザインターフェースシステム。
【請求項４】
上記提示システムは、オーディオ通信コネクタシステムを含む請求項１記載のユーザインターフェースシステム。
【請求項５】
上記オーディオ通信コネクタシステムは、分離型通信コネクタシステムを含む請求項４記載のユーザインターフェースシステム。
【請求項６】
上記分離型通信コネクタシステムは、周辺機器オーディオ提示システムの周辺機器通信コネクタと協働するシステム通信コネクタを含む請求項５記載のユーザインターフェースシステム。
【請求項７】
上記周辺機器オーディオ提示システムは、ヘッドホン、スピーカ、及び増幅器からなる周辺機器のグループから選択される請求項６記載のユーザインターフェースシステム。
【請求項８】
上記周辺機器オーディオ提示システムは、電力供給される周辺機器オーディオ提示システムを備え、かつ
動作電力は、上記電力供給される周辺機器オーディオ提示システムに上記システム通信コネクタを介して提供される請求項６記載のユーザインターフェースシステム。
【請求項９】
上記電力供給される周辺機器オーディオ提示システムは、雑音除去ヘッドホンである請求項８記載のユーザインターフェースシステム。
【請求項１０】
上記システム通信コネクタは、複数のシステム接点とシステム磁石システムとを含み、
上記システム接点は、上記周辺機器通信コネクタの複数の周辺機器接点と協働し、
上記システム磁石システムは、上記周辺機器通信コネクタの周辺機器磁石システムとの磁気的な接続を提供する請求項６記載のユーザインターフェースシステム。
【請求項１１】
上記システム接点は、システムプリント回路基板上に設けられ、
上記周辺機器接点は、周辺機器プリント回路基板上に設けられる請求項１０記載のユーザインターフェースシステム。
【請求項１２】
上記システム磁石システムは、上記システム接点の周りに設けられ、
上記周辺機器磁石システムは、上記周辺機器接点の周りに設けられる請求項１１記載のユーザインターフェースシステム。
【請求項１３】
上記ビデオ提示システムは、利用可能な視聴コンテンツのメニュー構成を上記パーソナルメディアデバイスから受信しかつ提示し、
上記ユーザ制御システムは、上記選択された視聴コンテンツを上記メニュー構成を介して選択する請求項１記載のユーザインターフェースシステム。
【請求項１４】
上記パーソナルメディアデバイスは、パーソナルメディアデバイス、ラップトップコンピュータ、パームトップコンピュータ、パーソナルデジタルアシスタント、携帯電話、ＭＰＥＧオーディオレイヤ３（ＭＰ３）デバイス、ｉＰｈｏｎｅ（登録商標）デジタル電子メディアデバイス、及びｉＰｏｄ（登録商標）デジタル電子メディアデバイスからなるデバイスのグループから選択される請求項１記載のユーザインターフェースシステム。
【請求項１５】
無線アクセスポイントを有する情報システムとともに使用するために適したパーソナルメディアデバイスであって、
上記無線アクセスポイントを介する上記情報システムとの通信をサポートする無線通信ポートと、
上記情報システムから利用可能な視聴コンテンツを選択し、かつ上記選択された視聴コンテンツの提示を制御するユーザ制御システムと、
上記選択された視聴コンテンツを提示するコンテンツ提示システムとを備え、
上記パーソナルメディアデバイスが上記無線アクセスポイントの所定の範囲内に配置されるとき、上記情報システムは、上記パーソナルメディアデバイスの認証を必要とせずに上記パーソナルメディアデバイスとの無線通信を確立し、かつ上記パーソナルメディアデバイスは、上記パーソナルメディアデバイスの認証を必要とせずに上記情報システムに統合され、かつ上記コンテンツ提示システムは、上記選択された視聴コンテンツを選択可能に提示し、かつ視聴コンテンツは、上記情報システムから利用可能であるパーソナルメディアデバイス。
【請求項１６】
上記無線通信ポートは、ワイヤレスフィデリティ（Ｗｉ−Ｆｉ）プロトコル、及び無線メトロポリタンエリアネットワーク（ＭＡＮ）プロトコルからなる無線プロトコルのグループから選択される無線通信プロトコルをサポートする請求項１５記載のパーソナルメディアデバイス。
【請求項１７】
上記ユーザ制御システムは、上記パーソナルメディアデバイスから利用可能なデバイス視聴コンテンツを選択し、かつ上記選択されたデバイス視聴コンテンツの提示を制御し、
上記コンテンツ提示システムは、上記選択されたデバイス視聴コンテンツを提示する請求項１５記載のパーソナルメディアデバイス。
【請求項１８】
上記コンテンツ提示システムは、上記パーソナルメディアデバイスのホームページを提示する請求項１５記載のパーソナルメディアデバイス。
【請求項１９】
上記パーソナルメディアデバイスと上記情報システムとが通信するとき、上記パーソナルメディアデバイスの上記ホームページは、上記情報システムによって提供されるホームページコンテンツに変更される請求項１８記載のパーソナルメディアデバイス。
【請求項２０】
上記パーソナルメディアデバイスは、ラップトップコンピュータ、パームトップコンピュータ、パーソナルデジタルアシスタント、携帯電話、ＭＰＥＧオーディオレイヤ３（ＭＰ３）デバイス、ｉＰｈｏｎｅ（登録商標）デジタル電子メディアデバイス、及びｉＰｏｄ（登録商標）デジタル電子メディアデバイスからなるデバイスのグループから選択される請求項１５記載のパーソナルメディアデバイス。
【請求項２１】
パーソナルメディアデバイスを無線アクセスポイントを有する情報システムに統合するための方法であって、
上記方法は、
上記無線アクセスポイントを介する上記情報システムとの通信をサポートする無線通信ポートを有する上記パーソナルメディアデバイスと、上記情報システムから利用可能な視聴コンテンツを選択するユーザ制御システムと、上記選択された視聴コンテンツを提示するコンテンツ提示システムとを提供することを含み、
上記ユーザ制御システムは、上記選択された視聴コンテンツの提示を制御し、
上記方法は、
上記パーソナルメディアデバイスが上記無線アクセスポイントの所定の範囲内に配置されるとき、
上記パーソナルメディアデバイスの認証を必要とせずに上記パーソナルメディアデバイスと上記情報システムとの間の無線通信を確立することと、
上記パーソナルメディアデバイスを上記情報システムに統合することと、
上記コンテンツ提示システムが上記選択された視聴コンテンツを選択可能に提示することを可能にすることとを含み、
視聴コンテンツは、上記ユーザ制御システムを介して上記パーソナルメディアデバイスから利用可能である方法。
【請求項２２】
上記パーソナルメディアデバイスを提供することは、ラップトップコンピュータ、パームトップコンピュータ、パーソナルデジタルアシスタント、携帯電話、ＭＰＥＧオーディオレイヤ３（ＭＰ３）デバイス、ｉＰｈｏｎｅ（登録商標）デジタル電子メディアデバイス、ｉＰｏｄ（登録商標）デジタル電子メディアデバイスからなるデバイスのグループから選択される上記パーソナルメディアデバイスを提供することを含む請求項２１記載の方法。
【請求項２３】
上記ユーザ制御システムを介して上記パーソナルメディアデバイスから利用可能なデバイス視聴コンテンツを選択することと、
上記選択されたデバイス視聴コンテンツを上記コンテンツ提示システムを介して提示することと、
上記選択されたデバイス視聴コンテンツの提示を上記ユーザ制御システムを介して制御することとをさらに含む請求項２１記載の方法。
【請求項２４】
上記無線通信を確立することは、ワイヤレスフィデリティ（Ｗｉ−Ｆｉ）プロトコル、及び無線メトロポリタンエリアネットワーク（ＭＡＮ）プロトコルからなる無線プロトコルのグループから選択される上記無線通信を確立することを含む請求項２１記載の方法。
【請求項２５】
上記パーソナルメディアデバイスを上記情報システムに統合することは、
利用可能な視聴コンテンツのメニュー構成を上記パーソナルメディアデバイスから受信しかつ提示することと、
上記ユーザ制御システムが上記選択された視聴コンテンツを上記メニュー構成を介して選択することを可能にすることとを含む請求項２１記載の方法。
【請求項２６】
周辺機器オーディオ提示システムの周辺機器通信コネクタと協働するシステム通信コネクタを含む分離型通信コネクタシステムを提供することをさらに含む請求項１７記載の方法。
【請求項２７】
乗り物に搭載するために適した情報システムにおいて、
上記情報システムは、
上記乗り物情報システムのための全体的なシステム制御機能を提供するヘッドエンドシステムを備え、上記ヘッドエンドシステムは、コンテンツソースと通信し、
上記情報システムは、
無線アクセスポイントと、
上記ヘッドエンドシステム及び上記無線アクセスポイントと通信する配信システムと、
パーソナルメディアデバイスとを備え、
上記パーソナルメディアデバイスは、
上記無線アクセスポイントを介する上記情報システムとの通信をサポートする無線通信ポートと、
上記コンテンツソースから利用可能な視聴コンテンツを選択し、上記選択された視聴コンテンツの提示を制御するユーザ制御システムと、
上記選択された視聴コンテンツを提示するコンテンツ提示システムとを備えたパーソナルメディアデバイスとを備え、
上記パーソナルメディアデバイスが上記無線アクセスポイントの所定の範囲内に配置されるとき、上記情報システムは、上記パーソナルメディアデバイスの認証を必要とせずに上記パーソナルメディアデバイスとの無線通信を確立し、かつ上記パーソナルメディアデバイスは、上記パーソナルメディアデバイスの認証を必要とせずに上記情報システムに統合され、かつ上記コンテンツ提示システムは、上記選択された視聴コンテンツを選択可能に提示し、かつ視聴コンテンツは、上記コンテンツソースから利用可能である情報システム。
【請求項２８】
上記コンテンツソースは、上記ヘッドエンドシステムに少なくとも部分的に組み込まれる請求項２７記載の情報システム。
【請求項２９】
上記ヘッドエンドシステムは、遠隔のコンテンツソースと通信する請求項２７記載の情報システム。
【請求項３０】
上記遠隔のコンテンツソースは、インターネットのコンテンツを、提示のために上記コンテンツ提示システムを介して、上記情報システムに提供する請求項２９記載の情報システム。
【請求項３１】
上記コンテンツ提示システムは、上記選択された視聴コンテンツのオーディオ部分を提示するオーディオ提示システムを含む請求項２７記載の情報システム。
【請求項３２】
上記コンテンツ提示システムは、上記選択された視聴コンテンツのビデオ部分を提示するビデオ提示システムを備える請求項２７記載の情報システム。
【請求項３３】
上記配信システムは、有線配信システムを備える請求項２７記載の情報システム。
【請求項３４】
上記ユーザ制御システム及び上記コンテンツ提示システムは、タッチスクリーン表示システムに少なくとも部分的に統合される請求項２７記載の情報システム。
【請求項３５】
上記コンテンツ提示システムは、上記パーソナルメディアデバイスのホームページを提示する請求項２７記載の情報システム。
【請求項３６】
上記パーソナルメディアデバイスと上記情報システムとが通信するとき、上記パーソナルメディアデバイスの上記ホームページは、上記情報システムによって提供されるホームページコンテンツに変更される請求項３５記載の情報システム。
【請求項３７】
上記ユーザ制御システムは、上記パーソナルメディアデバイスから利用可能なデバイス視聴コンテンツを選択し、かつ上記選択されたデバイス視聴コンテンツの提示を制御し、
上記コンテンツ提示システムは、上記選択されたデバイス視聴コンテンツを提示する請求項２７記載の情報システム。
【請求項３８】
上記情報システムは、航空機に搭載するために適した請求項２１記載の情報システム。
【請求項３９】
航空機において、
上記航空機は、
機体と、
上記機体の内部に設けられる複数の客席と、
乗り物情報システムとを備え、
上記乗り物情報システムは、上記機体に接続され、かつ
コンテンツソースと、
上記乗り物情報システムのための全体的なシステム制御機能を提供するヘッドエンドシステムと、
パーソナルメディアデバイスを上記ヘッドエンドシステムに接続する無線アクセスポイントと、
上記コンテンツソース、上記ヘッドエンドシステム、及び上記無線アクセスポイントと通信する配信システムとを備え、
上記航空機は、パーソナルメディアデバイスを備え、
上記パーソナルメディアデバイスは、
上記無線アクセスポイントを介する上記乗り物情報システムとの通信をサポートする無線通信ポートと、
上記コンテンツソースから利用可能な視聴コンテンツを選択し、かつ上記選択された視聴コンテンツの提示を制御するユーザ制御システムと、
上記選択された視聴コンテンツを提示するコンテンツ提示システムとを備え、
上記パーソナルメディアデバイスが上記無線アクセスポイントの所定の範囲内に配置されるとき、上記乗り物情報システムは、上記パーソナルメディアデバイスの認証を必要とせずに上記パーソナルメディアデバイスとの無線通信を確立し、かつ上記パーソナルメディアデバイスは、上記パーソナルメディアデバイスの認証を必要とせずに上記乗り物情報システムに統合され、かつ上記コンテンツ提示システムは、上記選択された視聴コンテンツを選択可能に提示し、かつ視聴コンテンツは、上記コンテンツソースから利用可能である航空機。
【請求項４０】
上記パーソナルメディアデバイスを格納する格納区画をさらに備え、
上記格納区画は、上記複数の客席のうちの１つに設けられる請求項３９記載の航空機。
【請求項４１】
上記格納区画は、上記選択された客席のアームレストに隣接して設けられる請求項４０記載の航空機。
【請求項４２】
上記格納区画は、隣接した客席のシートバック及びヘッドレストのうちの１つに設けられる請求項４０記載の航空機。
【請求項４３】
上記無線アクセスポイントは、上記選択された客席のアームレストに提供される請求項３９記載の航空機。
【請求項４４】
上記無線アクセスポイントは、隣接した客席のシートバック及びヘッドレストのうちの１つに設けられる請求項３９記載の航空機。
【発明の詳細な説明】
【技術分野】
【０００１】
本開示は、一般に、インターフェースシステムに関し、特に、パーソナルメディアデバイスを旅客用の乗り物に搭載された乗り物情報システムとインターフェースにより接続するのに適したシステムに関するが、これに限らない。
【背景技術】
【０００２】
自動車及び航空機などの乗り物は、移動中に、娯楽、情報コンテンツ、又は他の視聴コンテンツなどの視聴コンテンツにアクセスすることへの乗客の要望を満たすための乗り物情報システムを備えることが多い。
【０００３】
従来の乗客情報（又は娯楽）システムは、典型的に、視聴コンテンツが乗客によって選択可能であるように、個別の制御部を有する頭上の客室ビデオシステム、又は座席ベースのビデオシステムを備える。視聴コンテンツは、様々なコンテンツソースから得られるオーディオコンテンツ及びビデオコンテンツを含むことができる。映画及び音楽などの予め記録された視聴コンテンツは、乗り物に搭載されるオーディオプレーヤ及びビデオプレーヤなどの内部のコンテンツソースによって提供される。さらに、従来の乗客情報システムは、乗り物の外部及び／又は乗り物から遠く離れた１つ又はそれ以上のコンテンツプロバイダ（又はコンテンツソース）から伝送されるライブのテレビジョン番組及び／又はインターネットのコンテンツなどの視聴コンテンツを受信するアンテナシステムを備えることができる。
【先行技術文献】
【特許文献】
【０００４】
【特許文献１】米国特許第６６６１３５３号明細書。
【特許文献２】米国特許第５５６８４８４号明細書。
【特許文献３】米国特許第５５９６６４７号明細書。
【特許文献４】米国特許第５６１７３３１号明細書。
【特許文献５】米国特許第５９５３４２９号明細書。
【発明の概要】
【発明が解決しようとする課題】
【０００５】
しかしながら、このような従来の乗客情報システムには、多数の不都合がある。幾人かの乗客は、乗客情報システムが操作するには複雑であること、及び視聴コンテンツを楽しむことは困難であることを感じる。例えば、視聴コンテンツの選択は、ユーザ制御部の不便な配置及び操作に起因して、困難であると判明する。さらに、乗客情報システムのビデオシステムは、典型的に、頭上及び／又は反対側のシートバックなどの乗客制御部から離れて位置する。さらに、ビデオシステムの１つ又はそれ以上が故障する場合、乗り物に乗って移動している乗客の幾人か又はすべてが、視聴コンテンツを楽しむことができなくなる。従来の乗客情報システムはさらに、乗客のハンドヘルドパーソナルメディアデバイスと通信するために、左側のオーディオ、右側のオーディオ、ビデオ、データ、及び／又は電源などの複数のインターフェースポイント及び複数のケーブルを必要とし、かつこれらのパーソナルメディアデバイスのための遠隔制御をサポートしない。このようなシステムの欠点は、移動の間における乗客の苦情のよくある原因である。
【０００６】
さらに、視聴コンテンツに対する乗客の要望は、絶えず進化している。乗客は、ライブのテレビジョン番組及び最新のゲームなどの最新の視聴コンテンツにアクセスすることを望むだけでなく、インターネットアクセス及び移動中の買い物などの情報製品及びサービスのさらに広範囲の選択が利用可能であることを要求する。さらに、乗客は、移動の間に、写真アルバム及び／又は音楽選択（ミュージックセレクション）などの彼ら自身の個人的に提供される視聴コンテンツを視聴することを望む。しかしながら、従来の乗客情報システムは、その固定されたハードウェア技術によって制限され、かつ乗客の視聴コンテンツ及び他の情報の好みの変化に順応するようには簡単に適合されない。
【０００７】
上述のことを考慮して、従来の乗客情報システムの上述した障害及び不備を克服するために乗客のパーソナルメディアデバイスを乗客情報システムに統合する改善された乗客情報システム及び方法についての必要性が存在する。
【図面の簡単な説明】
【０００８】
【図１】パーソナルメディアデバイスを情報システムとインターフェースにより接続するインターフェースシステムの一実施形態を示す例示的な最上位の図である。
【図２Ａ】図１の情報システムを示す例示的な最上位の図であり、情報システムは、自動車に搭載された乗り物情報システムを備える。
【図２Ｂ】図２Ａの乗り物情報システムを示す例示的な最上位の図であり、乗り物情報システムは、航空機に搭載される。
【図３】図２Ａ及び図２Ｂの乗り物情報システムのための配信システムの好ましい一実施形態を示す例示的な詳細図である。
【図４Ａ】乗り物の客室を示す例示的な最上位の図であり、図２Ａ及び図２Ｂの乗り物情報システムが搭載されている。
【図４Ｂ】図４Ａの乗り物情報システムの一実施形態を示す例示的な最上位の図であり、乗り物情報システムは、図１のパーソナルメディアデバイスと通信している。
【図５Ａ】図２Ａ及び図２Ｂの乗り物情報システムの一実施形態を示す例示的な最上位の図であり、乗り物情報システムは、ｉＰｈｏｎｅ（登録商標）デジタル電子メディアデバイスと通信している。
【図５Ｂ】図５Ａの乗り物情報システムの代替の実施形態を示す例示的な最上位の図であり、乗り物情報システムは、ｉＰｈｏｎｅ（登録商標）デジタル電子メディアデバイスと無線通信接続を介して通信する。
【図６Ａ】図５Ａ及び図５Ｂの乗り物情報システムのための統合オーディオ／ビデオ提示システムの一実施形態を示す例示的な詳細図である。
【図６Ｂ】図６Ａの統合オーディオ／ビデオ提示システムの一実施形態を示す例示的な詳細図であり、統合オーディオ／ビデオ提示システムは、ｉＰｈｏｎｅ（登録商標）デジタル電子メディアデバイスによって提供される視聴コンテンツ、及び乗り物情報システムによって提供される視聴コンテンツの選択をサポートする。
【図６Ｃ】図６Ｂの統合オーディオ／ビデオ提示システムの一実施形態を示す例示的な詳細図であり、統合オーディオ／ビデオ提示システムは、ｉＰｈｏｎｅ（登録商標）デジタル電子メディアデバイスによって提供される視聴コンテンツを選択すると、ｉＰｈｏｎｅ（登録商標）デジタル電子メディアデバイスからの利用可能な視聴コンテンツのメニュー構成を提示する。
【図６Ｄ】図６Ｃの統合オーディオ／ビデオ提示システムの一実施形態を示す例示的な詳細図であり、利用可能な視聴コンテンツのメニュー構成は、階層的なメニュー構成を備える。
【図６Ｅ】図６Ｃの統合オーディオ／ビデオ提示システムの一実施形態を示す例示的な詳細図であり、利用可能な視聴コンテンツのメニュー構成は、階層的なメニュー構成を備える。
【図６Ｆ】図６Ｂ乃至図６Ｅの統合オーディオ／ビデオ提示システムの一実施形態を示す例示的な詳細図であり、統合オーディオ／ビデオ提示システムは、ｉＰｈｏｎｅ（登録商標）デジタル電子メディアデバイスからの選択された視聴コンテンツを提示する。
【図７Ａ】図６Ａ乃至図６Ｆの統合オーディオ／ビデオ提示システムの一実施形態を示す例示的な詳細図であり、統合オーディオ／ビデオ提示システムは、周辺機器提示システムを統合オーディオ／ビデオ提示システムに接続するための分離型（break-away）通信コネクタシステムを含む。
【図７Ｂ】図７Ａの分離型通信コネクタシステムの一実施形態を示す例示的な詳細図である。
【図８Ａ】図７Ａ及び図７Ｂの分離型通信コネクタシステムのシステム接点配置（contact arrangement）の一実施形態を示す例示的な詳細図であり、システム接点は、同心円の（又は標的の（bull's eye））接点配置で提供される。
【図８Ｂ】図８Ａの接点配置の代替の実施形態を示す例示的な詳細図であり、隣接するシステム接点の間の間隔は、均一ではない。
【図８Ｃ】図８Ａの接点配置のもう１つの代替の実施形態を示す例示的な詳細図であり、システム接点は、半円として提供される。
【図８Ｄ】図８Ｃの接点配置の代替の実施形態を示す例示的な詳細図であり、隣接するシステム接点の間の間隔は、均一ではない。
【図８Ｅ】図８Ａの接点配置のもう１つの代替の実施形態を示す例示的な詳細図であり、システム接点は、直線のシステム接点の配置を含む。
【図８Ｆ】図８Ａの接点配置のもう１つの代替の実施形態を示す例示的な詳細図であり、システム接点は、円形の接点の配置を含む。
【図８Ｇ】図８Ａの接点配置のもう１つの代替の実施形態を示す例示的な詳細図であり、システム接点は、パイ形の接点の配置を含む。
【図９】図６Ａの統合オーディオ／ビデオ提示システムを実装するためのハードウェアアーキテクチャの一実施形態を示す例示的な詳細図である。
【図１０】図６Ａの統合オーディオ／ビデオ提示システムを実装するためのソフトウェアアーキテクチャの一実施形態を示す例示的な詳細図である。
【発明を実施するための形態】
【０００９】
図は寸法を示すために描かれたものではなく、かつ同様の構成又は機能の要素は、一般に、図を通して例示の目的のために同様の参照番号によって表されることに留意すべきである。図は、好ましい実施形態の説明を促進することのみを意図していることにも留意すべきである。図は、説明される実施形態のあらゆる態様を示すものではなく、かつ本開示の範囲を制限するものでもない。
【００１０】
以下の米国非仮特許出願は、本出願の譲受人によって完全に所有され、かつ本願と同一の日に出願される。非仮特許出願の開示は、参照することによりその全体において及びすべての目的のために本明細書に組み込まれる。
【００１１】
２００８年９月１２日に出願された代理人事件番号７００５４６．４０２９「ポータブルメディアデバイスを乗り物情報システムとインターフェースにより接続するためのシステム及び方法（ＳＹＳＴＥＭ  ＡＮＤ  ＭＥＴＨＯＤ  ＦＯＲ  ＩＮＴＥＲＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＳＴＥＭ）」。
【００１２】
２００８年９月１２日に出願された代理人事件番号７００５４６．４０３８「乗り物情報システムのためのメディアデバイスインターフェースシステム及び方法（ＭＥＤＩＡ  ＤＥＶＩＣＥ  ＩＮＴＥＲＦＡＣＥ  ＳＹＳＴＥＭ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ）」。
【００１３】
２００８年９月１２日に出願された代理人事件番号７００５４６．４０３９「乗り物情報システムのためのポータブルユーザ制御デバイス及び方法（ＰＯＲＴＡＢＬＥ  ＵＳＥＲ  ＣＯＮＴＲＯＬ  ＤＥＶＩＣＥ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ）」。
【００１４】
現在利用可能な乗客情報システムは、操作するには複雑であり、固定されたハードウェア技術によって制限され、かつ乗客の視聴コンテンツ及び他の情報の好みの変化に順応するようには簡単に適合されないので、パーソナルメディアデバイスとの通信を可能にする少なくとも１つの通信インターフェースを含む情報システムが望まれていることがわかり、移動の間に自動車、航空機、及び他のタイプの乗り物で利用するための乗り物情報システムなどの広範囲のシステムアプリケーションのための基礎を提供することができる。この結果は、本明細書で開示される一実施形態にしたがって、図１に図示される情報システム１００によって達成される。
【００１５】
図１に転じると、情報システム１００は、パーソナル（又は携帯可能な）メディアデバイス２００とともに用いるように構成されるものとして示されている。情報システム１００は、パーソナルメディアデバイス２００が情報システム１００にシームレスに統合されることを可能にするための簡単な方法をサポートし、（図６Ｂに図示された）ユーザ（又は乗客）７００を豊かでかつ直観的なメディア環境に没頭させる。パーソナルメディアデバイス２００と情報システム１００とが接続されると、情報システム１００からの視聴コンテンツ２１０が、パーソナルメディアデバイス２００に（図６Ａ乃至図６Ｆに図示された）対話型のオーディオ／ビデオ提示システム６００を介して「その場で（on the fly）」統合される。オーディオ／ビデオ提示システム６００は、任意の適切なブランドのしるし（branding indicia）を提供されてもよい。これによって、情報システム１００は、ユーザ７００に、情報システム１００によって提供される視聴コンテンツ２１０とパーソナルメディアデバイス２００からの視聴コンテンツ２１０との間を簡単に切り換える能力を提供する。
【００１６】
パーソナルメディアデバイス２００の動作は、パーソナルメディアデバイス２００の（図５Ａ及び図５Ｂに図示された）ユーザ制御システム２６０を介する直接的な方法、及び／又は情報システム１００に関連する（図４Ａ及び図４Ｂに図示された）入力システム３６６を介する間接的な方法を含む任意の従来の方法で、制御されることができる。これによって、視聴コンテンツ２１０は、パーソナルメディアデバイス２００の内部に記憶されたオーディオ及び／又はビデオ視聴コンテンツから選択されることができ、かつ情報システム１００の（図４Ａ及び図４Ｂに図示された）ビデオ提示システム３６２及び／又は（図４Ａ及び図４Ｂに図示された）オーディオ提示システム３６４を介する提示のために、パーソナルメディアデバイス２００から情報システム１００に通信により送信されることができる。パーソナルメディアデバイス２００はさらに、（図４Ａ及び図４Ｂに図示された）ユーザ制御信号（又はユーザ制御命令）２３０などの制御信号（又はコマンド）２２０を情報システム１００と交換することができ、かつ／又は（図７Ａ及び図７Ｂに図示された）動作電力２２０Ｐを情報システム１００から受信することができる。これによって、ユーザ７００は、有利に、パーソナルメディアデバイス２００からの彼自身のパーソナル視聴コンテンツ２１０を、情報システム１００のより大きいビデオ提示システム３６２及び／又は改善されたオーディオ提示システム３６４を介して楽しむことができる一方、パーソナルメディアデバイス２００の内部のバッテリシステム（図示せず。）は、再充電されている。
【００１７】
パーソナルメディアデバイス２００は、オーディオ及び／又はビデオ視聴コンテンツ２１０を記憶することができ、かつラップトップコンピュータ、パームトップコンピュータ、パーソナルデジタルアシスタント（ＰＤＡ）、携帯電話、及び／又はＭＰＥＧオーディオレイヤ３（ＭＰ３）デバイスなどのハンドヘルドデバイスとして提供されてもよい。例示的なパーソナルメディアデバイス２００は、同時係属の２００４年２月４日に出願された「ファイルをダウンロードするためのシステム及び方法（ＳＹＳＴＥＭ  ＡＮＤ  ＭＥＴＨＯＤ  ＦＯＲ  ＤＯＷＮＬＯＡＤＩＮＧ  ＦＩＬＥＳ）」と題されたシリアル番号第１０／７７２，５６５号の米国特許出願、２００５年６月１５日に出願された「移動の間に視聴コンテンツを提示するためのポータブルメディアデバイス及び方法（ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ）」と題されたシリアル番号第１１／１５４，７４９号の米国特許出願、及び２００５年１１月７日に出願された「国際的な移動の間にモバイルプラットフォーム上でブロードキャストコンテンツを受信するためのシステム及び方法（ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ）」と題されたシリアル番号第１１／２６９，３７８号の米国特許出願において示されかつ説明され、これらの出願は、本出願の譲受人に譲渡されており、かつこれらの出願のそれぞれの開示は、その全体が参照することにより本明細書に組み込まれる。パーソナルメディアデバイス２００は、カリフォルニア州クパチーノのアップルコンピュータインコーポレイテッド（Apple Computer, Inc.）によってそれぞれ製造されるｉＰｈｏｎｅ（登録商標）デジタル電子メディアデバイス及び／又はｉＰｏｄ（登録商標）デジタル電子メディアデバイスとして提供されることが好ましい。
【００１８】
視聴コンテンツ２１０は、上記で参照した同時係属の２００４年２月４日に出願された「ファイルをダウンロードするためのシステム及び方法（ＳＹＳＴＥＭ  ＡＮＤ  ＭＥＴＨＯＤ  ＦＯＲ  ＤＯＷＮＬＯＡＤＩＮＧ  ＦＩＬＥＳ）」と題されたシリアル番号第１０／７７２，５６５号の米国特許出願、２００５年６月１５日に出願された「移動の間に視聴コンテンツを提示するためのポータブルメディアデバイス及び方法（ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ）」と題されたシリアル番号第１１／１５４，７４９号の米国特許出願、及び２００５年１１月７日に出願された「国際的な移動の間にモバイルプラットフォーム上でブロードキャストコンテンツを受信するためのシステム及び方法（ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ）」と題されたシリアル番号第１１／２６９，３７８号の米国特許出願で説明されるように、記憶された（又は時間遅延の）視聴コンテンツ及び／又はライブの（又はリアルタイムの）視聴コンテンツなどの任意の従来のタイプのオーディオ及び／又はビデオ視聴コンテンツを含むことができる。例示的な視聴コンテンツ２１０は、テレビジョン番組コンテンツ、音楽コンテンツ、ポッドキャストコンテンツ、写真アルバムコンテンツ、オーディオブックコンテンツ、映画コンテンツ、及び／又はゲームコンテンツなどを含むことができるが、これに限らない。
【００１９】
要望に応じて、視聴コンテンツ２１０は、「対話型のフライトマップ情報を表示するための方法（ＭＥＴＨＯＤ  ＦＯＲ  ＤＩＳＰＬＡＹＩＮＧ  ＩＮＴＥＲＡＣＴＩＶＥ  ＦＬＩＧＨＴ  ＭＡＰ  ＩＮＦＯＲＭＡＴＩＯＮ）」と題された特許文献１で説明されるように、地理的な情報を含むことができ、この特許は、本出願の譲受人に譲渡されており、かつこの特許の開示は、その全体が参照することにより本明細書に組み込まれる。ライブの衛星テレビジョン番組及び／又はライブの衛星ラジオ番組などの娯楽コンテンツの代替として、かつ／又は追加として、視聴コンテンツはさらに、「商用の航空機及び他の乗り物上で使用するための遠隔通信システム及び方法（ＴＥＬＥＣＯＭＭＵＮＩＣＡＴＩＯＮＳ  ＳＹＳＴＥＭ  ＡＮＤ  ＭＥＴＨＯＤ  ＦＯＲ  ＵＳＥ  ＯＮ  ＣＯＭＭＥＲＣＩＡＬ  ＡＩＲＣＲＡＦＴ  ＡＮＤ  ＯＴＨＥＲ  ＶＥＨＩＣＬＥＳ）」と題された特許文献２で説明されるように、（図２Ｂに図示された）インターネット３１０Ｃへのリアルタイムのアクセス及び／又は遠隔通信などの双方向通信を含むことができ、この特許は、本出願の譲受人に譲渡されており、かつこの特許の開示は、その全体が参照することにより本明細書に組み込まれる。本明細書で示されかつ説明される例示的な視聴コンテンツは、網羅的なものではなく、かつ説明の目的のみのために本明細書で提供され、かつ制限の目的のために提供されるものではない。
【００２０】
情報システム１００は、建物などの固定されたロケーションに設けられてもよいが、情報システム１００はさらに、有利に、携帯可能なシステムアプリケーションに適用されてもよい。図２Ａ及び図２Ｂに転じると、情報システム１００は、多種多様の乗り物３９０に搭載されるように構成されることができる乗り物情報システム３００を備えるように図示される。例示的なタイプの乗り物は、（図２Ａに図示された）自動車３９０Ａ、（図２Ｂに図示された）航空機３９０Ｂ、バス、レクリエーショナルビークル（recreational vehicle）、船、及び／又は機関車、又は任意の他のタイプの乗客用の乗り物などを含むことができるが、これに限らない。例えば、図２Ｂに図示されるように、航空機３９０Ｂに搭載される場合、乗り物情報システム３００は、カリフォルニア州レイクフォレストのパナソニックアビオニクスコーポレイション（Panasonic Avionics Corporation）（かつてのマツシタアビオニクスシステムコーポレイション（Matsushita Avionics systems Corporation））によって製造されるシリーズ２０００、３０００、ｅＦＸ、及び／又はｅＸ２等の飛行中娯楽システムなどの従来の航空機乗客用飛行中娯楽システムを備えることができる。
【００２１】
図２Ａ及び図２Ｂに図示されるように、乗り物情報システム３００は、リアルタイムコンテンツ配信システム３２０を介して通信する少なくとも１つの従来のコンテンツソース３１０及び１つ又はそれ以上のユーザ（又は乗客）インターフェースシステム３６０を備える。
それぞれのコンテンツソース３１０は、同時係属の２００４年２月４日に出願された「ファイルをダウンロードするためのシステム及び方法（ＳＹＳＴＥＭ  ＡＮＤ  ＭＥＴＨＯＤ  ＦＯＲ  ＤＯＷＮＬＯＡＤＩＮＧ  ＦＩＬＥＳ）」と題されたシリアル番号第１０／７７２，５６５号の米国特許出願、２００５年５月６日に出願された「モバイルプラットフォーム上でコンテンツを管理するためのシステム及び方法（ＳＹＳＴＥＭ  ＡＮＤ  ＭＥＴＨＯＤ  ＦＯＲ  ＭＡＮＡＧＩＮＧ  ＣＯＮＴＥＮＴ  ＯＮ  ＭＯＢＩＬＥ  ＰＬＡＴＦＯＲＭＳ）」と題されたシリアル番号第１１／１２３，３２７号の米国特許出願、２００５年６月１５日に出願された「移動の間に視聴コンテンツを提示するためのポータブルメディアデバイス及び方法（ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ）」と題されたシリアル番号第１１／１５４，７４９号の米国特許出願、及び２００５年１１月７日に出願された「国際的な移動の間にモバイルプラットフォーム上でブロードキャストコンテンツを受信するためのシステム及び方法（ＳＹＳＴＥＭ  ＡＮＤ  ＭＥＴＨＯＤ  ＦＯＲ  ＲＥＣＥＩＶＩＮＧ  ＢＲＯＡＤＣＡＳＴ  ＣＯＮＴＥＮＴ  ＯＮ  Ａ  ＭＯＢＩＬＥ  ＰＬＡＴＦＯＲＭ  ＤＵＲＩＮＧ  ＩＮＴＥＲＮＡＴＩＯＮＡＬ  ＴＲＡＶＥＬ）」と題されたシリアル番号第１１／２６９，３７８号の米国特許出願で説明されるように提供されてもよく、これらの出願は、本出願の譲受人に譲渡されており、かつこれらの出願のそれぞれの開示は、その全体が参照することにより本明細書に組み込まれる。
【００２２】
コンテンツソース３１０は、乗り物３９０に搭載されるサーバシステム３１０Ａなどの１つ又はそれ以上の内部のコンテンツソース、及び／又は乗り物３９０の外部であってもよい遠隔の（又は地上の）コンテンツソース３１０Ｂを含むことができる。サーバシステム３１０Ａは、乗り物情報システム３００のための全体的なシステム制御機能、及び／又は要望に応じて、（図２Ａ及び図２Ｂに図示されるように）予めプログラムされたコンテンツ及び／又はダウンロードされた視聴コンテンツ２１０Ｄを記憶するための少なくとも１つのメディア（又はファイル）サーバシステムを提供する情報システムコントローラとして提供されてもよい。サーバシステム３１０Ａは、予めプログラムされたコンテンツ及び／又はダウンロードされた視聴コンテンツ２１０Ｄを記憶するための任意の適切な種類のデジタルビデオディスク（ＤＶＤ）システム又はコンパクトディスク（ＣＤ）システムなどの光メディアデバイス、及び／又はビデオカセットレコーダ（ＶＣＲ）システム又はハードディスクドライブ（ＨＤＤ）システムなどの磁気メディアシステムを含む１つ又はそれ以上の従来の周辺機器のメディア記憶システム（図示せず。）を含むことができ、かつ／又はこれらと通信することができる。
【００２３】
１つ又はそれ以上の選択されたコンテンツソース３１０によって提供される視聴コンテンツ２１０を配信し、かつ／又は提示するように構成されるので、乗り物情報システム３００は、リアルタイムに、かつ有線通信及び／又は無線通信を用いることを含む任意の従来の方法でコンテンツソース３１０と通信することができる。例えば、乗り物情報システム３００及び地上のコンテンツソース３１０Ｂは、直接的な方法、及び／又は衛星通信システム３７０Ａなどの中間通信システム３７０を介する間接的な方法を含む任意の従来の無線方法で通信することができる。これによって、乗り物情報システム３００は、ダウンロード視聴コンテンツ２１０Ｄを選択された地上のコンテンツソース３１０Ｂから受信することができ、かつ／又はナビゲーション及び他の制御命令を含むアップロード視聴コンテンツ２１０Ｕを地上のコンテンツソース３１０Ｂに送信することができる。要望に応じて、地上のコンテンツソース３１０Ｂは、他の地上のコンテンツソース（図示せず。）と通信するように構成されてもよい。地上のコンテンツソース３１０Ｂは、図２Ｂでは、インターネット３１０Ｃへのアクセスを提供するように示されている。説明の目的のために、衛星通信システム３７０Ａを備えるように示されかつ説明されているが、通信システム３７０は、セルラー通信システム（図示せず。）及び／又は航空機地上情報システム（ＡＧＩＳ）通信システム（図示せず。）などの任意の従来のタイプの無線通信システムを備えることができることが理解される。
【００２４】
地上のコンテンツソース３１０Ｂとの通信を促進するために、乗り物情報システム３００は、図２Ａ及び図２Ｂに図示されるように、視聴コンテンツを遠隔の（又は地上の）コンテンツソース３１０Ｂから受信するためのアンテナシステム３３０及びトランシーバ（送受信機）システム３４０を含むことができる。アンテナシステム３３０は、航空機３９０Ｂの機体３９２の外面３９４などの乗り物３９０の外側に設けられることが好ましい。アンテナシステム３３０は、視聴コンテンツ２１０を地上のコンテンツソース３１０Ｂから受信することができ、かつトランシーバシステム３４０によって処理された受信した視聴コンテンツ２１０を乗り物情報システム３００のコンピュータシステム３５０に提供することができる。コンピュータシステム３５０は、受信した視聴コンテンツ２１０をメディアサーバシステム３１０Ａに提供することができ、かつ／又は要望に応じて、ユーザインターフェース３６０の１つ又はそれ以上に提供することができる。説明の目的のために、別々のシステムであるとして示されかつ説明されたが、コンピュータシステム３５０及びメディアサーバシステム３１０Ａは、少なくとも部分的に統合されてもよい。
【００２５】
コンテンツソース３１０及びユーザインターフェースシステム３６０を含む乗り物情報システムの構成要素は、図２Ａ及び図２Ｂでは、コンテンツ配信システム３２０を介して通信するように示されている。図３は、乗り物情報システム３００のための例示的なコンテンツ配信システム３２０を示す。図３のコンテンツ配信システム３２０は、コンテンツソース３１０を含むヘッドエンドシステム（headend system）３１０Ｈと複数のユーザインターフェースシステム３６０とを接続し、かつこれらの間の通信をサポートする。図３に図示されるように、配信システム３２０は、同時係属の２００６年３月２９日に出願された「データ配信ネットワークを介して通信信号をルーティングするためのシステム及び方法（ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬＳ  ＶＩＡ  Ａ  ＤＡＴＡ  ＤＩＳＴＲＩＢＵＴＩＯＮ  ＮＥＴＷＯＲＫ）」と題されたシリアル番号第１１／２７７，８９６号の米国特許出願、及びそれぞれ「商用の航空機及び他の乗り物上で使用するための統合されたビデオ及びオーディオ信号配信システム及び方法（ＩＮＴＥＧＲＡＴＥＤ  ＶＩＤＥＯ  ＡＮＤ  ＡＵＤＩＯ  ＳＩＧＮＡＬ  ＤＩＳＴＲＩＢＵＴＩＯＮ  ＳＹＳＴＥＭ  ＡＮＤ  ＭＥＴＨＯＤ  ＦＯＲ  ＵＳＥ  ＯＮ  ＣＯＭＭＥＲＣＩＡＬ  ＡＩＲＣＲＡＦＴ  ＡＮＤ  ＯＴＨＥＲ  ＶＥＨＩＣＬＥＳ）」と題された特許文献３、特許文献４、及び特許文献５で説明されるように提供され、これらの出願及び特許は、本出願の譲受人に譲渡されており、かつこれらの出願及び特許のそれぞれの開示は、その全体が参照することにより本明細書に組み込まれる。
【００２６】
要望に応じて、配信システム３２０はさらに、同時係属の２００４年２月６日に出願された「ネットワークの信頼性を改善するためのシステム及び方法（ＳＹＳＴＥＭ  ＡＮＤ  ＭＥＴＨＯＤ  ＦＯＲ  ＩＭＰＲＯＶＩＮＧ  ＮＥＴＷＯＲＫ  ＲＥＬＩＡＢＩＬＩＴＹ）」と題されたシリアル番号第１０／７７３，５２３号の米国特許出願、及び２００５年３月２１日に出願された「ネットワークの信頼性を改善するためのシステム及び方法（ＳＹＳＴＥＭ  ＡＮＤ  ＭＥＴＨＯＤ  ＦＯＲ  ＩＭＰＲＯＶＩＮＧ  ＮＥＴＷＯＲＫ  ＲＥＬＩＡＢＩＬＩＴＹ）」と題されたシリアル番号第１１／０８６，５１０号の米国特許出願で説明されるように提供されるネットワーク管理システム（図示せず。）を含んでもよく、これらの出願は、本出願の譲受人に譲渡されており、かつこれらの出願のそれぞれの開示は、その全体が参照することにより本明細書に組み込まれる。
【００２７】
図３に図示されるように、配信システム３２０は、複数のエリア配信ボックス（ＡＤＢ）３２２、複数のフロア切断ボックス（floor disconnect box）（ＦＤＢ）３２３、及び複数の座席電子ボックス（seat electronics box）（ＳＥＢ）（及び／又は上級座席電子ボックス（premium seat electronics box）（ＰＳＥＢ））３２４が、複数の有線通信接続及び／又は無線通信接続３２５を介してリアルタイムで通信するように構成されるように提供されてもよい。配信システム３２０はさらに、配信システム３２０とヘッドエンドシステム３１０Ｈとの間のインターフェースを提供する切り換えシステム３２１を含んでもよい。切り換えシステム３２１は、イーサネット（登録商標）切り換えシステムなどの従来の切り換えシステムを備えてもよく、かつヘッドエンドシステム３１０Ｈをエリア配信ボックス３２２に接続するように構成される。エリア配信ボックス３２２のそれぞれは、切り換えシステム３２１に接続され、かつ切り換えシステム３２１と通信する。
【００２８】
エリア配信ボックス３２２のそれぞれは、次に、少なくとも１つのフロア切断ボックス３２３に接続され、かつフロア切断ボックス３２３と通信する。エリア配信ボックス３２２と関連するフロア切断ボックス３２３とは、任意の従来の構成で接続されることができるが、関連するフロア切断ボックス３２３は、図３に図示されるように、中央エリア配信ボックス３２２についてスター型のネットワークトポロジーで設けられることが好ましい。それぞれのフロア切断ボックス３２３は、座席電子ボックス３２４の複数のデイジーチェーン（daisy-chain）に接続され、かつサービスを提供する。座席電子ボックス３２４は、次に、ユーザインターフェースシステム３６０と通信するように構成される。それぞれの座席電子ボックス３２４は、ユーザインターフェースシステム３６０の１つ又はそれ以上をサポートすることができる。
【００２９】
要望に応じて、フロア切断ボックス３２３は、有利に、ルーティングシステムとして提供されてもよく、かつ／又は上記で参照した同時係属の２００６年３月２９日に出願された「データ配信ネットワークを介して通信信号をルーティングするためのシステム及び方法（ＳＹＳＴＥＭ  ＡＮＤ  ＭＥＴＨＯＤ  ＦＯＲ  ＲＯＵＴＩＮＧ  ＣＯＭＭＵＮＩＣＡＴＩＯＮ  ＳＩＧＮＡＬＳ  ＶＩＡ  Ａ  ＤＡＴＡ  ＤＩＳＴＲＩＢＵＴＩＯＮ  ＮＥＴＷＯＲＫ）」と題されたシリアル番号第１１／２７７，８９６号の米国特許出願で説明されるように、相互接続されることができる。配信システム３２０は、少なくとも１つのＦＤＢ内部ポートバイパス接続３２５Ａ、及び／又は少なくとも１つのＳＥＢループバック接続３２５Ｂを含んでもよい。それぞれのＦＤＢ内部ポートバイパス接続３２５Ａは、異なるエリア配信ボックス３２２に関連するフロア切断ボックス３２３が直接的に通信することを可能にする通信接続３２５である。それぞれのＳＥＢループバック接続３２５Ｂは、図３に図示されるように、選択されたフロア切断ボックス３２３についての座席電子ボックス３２４のそれぞれのデイジーチェーンにおける最後の座席電子ボックス３２４を直接的に接続する通信接続３２５である。したがって、それぞれのＳＥＢループバック接続３２５Ｂは、関連するフロア切断ボックス３２３に接続されたデイジーチェーンで接続された座席電子ボックス３２４の間のループバック経路を形成する。
【００３０】
図２Ａ及び図２Ｂに戻ると、ユーザインターフェースシステム３６０は、視聴コンテンツ２１０を選択するために、及び選択された視聴コンテンツ２１０を提示するために提供される。要望に応じて、ユーザインターフェースシステム３６０は、従来の乗客インターフェースを備えることができ、かつ上記で参照した同時係属の２００５年６月１５日に出願された「移動の間に視聴コンテンツを提示するためのポータブルメディアデバイス及び方法（ＰＯＲＴＡＢＬＥ  ＭＥＤＩＡ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ  ＤＵＲＩＮＧ  ＴＲＡＶＥＬ）」と題されたシリアル番号第１１／１５４，７４９号の米国特許出願で説明されるように提供されてもよく、並びに同時係属の２００５年４月１９日に出願された「モバイルプラットフォーム上で高品質なビデオを乗客に提示するためのシステム及び方法（ＳＹＳＴＥＭ  ＡＮＤ  ＭＥＴＨＯＤ  ＦＯＲ  ＰＲＥＳＥＮＴＩＮＧ  ＨＩＧＨ−ＱＵＡＬＩＴＹ  ＶＩＤＥＯ  ＴＯ  ＰＡＳＳＥＮＧＥＲＳ  ＯＮ  Ａ  ＭＯＢＩＬＥ  ＰＬＡＴＦＯＲＭ）」と題されたシリアル番号第６０／６７３，１７１号の米国特許出願で説明されるように提供されてもよく、この出願の開示は、その全体が参照することにより本明細書に組み込まれる。
【００３１】
図４Ａは、乗り物情報システム３００が搭載されている（図２Ａに図示された）自動車３９０Ａ及び／又は（図２Ｂに図示された）航空機３９０Ｂなどの乗客用の乗り物３９０の客室３８０の外観を提供する。客室３８０は、複数の客席３８２を含むように示され、かつそれぞれの客席３８２は、選択されたユーザインターフェースシステム３６０に関連する。それぞれのユーザインターフェースシステム３６０は、ビデオインターフェースシステム３６２及び／又はオーディオインターフェースシステム３６４を含むことができる。例示的なビデオインターフェースシステム３６２は、中央制御部を有する頭上の客室表示システム３６２Ａ、それぞれ個別化された制御部を有するシートバック表示システム３６２Ｂ又はアームレスト表示システム（図示せず。）、乗務員表示パネル、及び／又はハンドヘルド提示システムを含むことができる。オーディオインターフェースシステム３６４は、頭上のスピーカシステム３６４Ａ、ハンドヘルド提示システム、及び／又は例えば客席３８２のアームレスト３８８で提供されるオーディオジャックに接続されたヘッドホンを含む任意の従来の方法で提供されてもよい。スピーカシステムはさらに、客席３８２の基部３８４Ｂ内に設けられるスピーカシステム３６４Ｂ、及び／又は客席３８２のヘッドレスト３８４Ｃ内に設けられるスピーカシステム３６４Ｃなどの客席３８２に関連してもよい。好ましい実施形態では、オーディオインターフェースシステム３６４は、オーディオインターフェースシステム３６４によって生成される音質をさらに改善するためのオプションの雑音除去システムを含んでもよい。
【００３２】
ビデオインターフェースシステム３６２及びオーディオインターフェースシステム３６４は、シートバック３８６、壁３９６、天井、及び／又は隔壁、又は客席３８２のアームレスト３８８などの任意の適切な客室の表面に同時係属の２００７年７月２５日に出願された「ユーザインターフェースデバイスを取り付けるためのシステム及び方法（ＳＹＳＴＥＭ  ＡＮＤ  ＭＥＴＨＯＤ  ＦＯＲ  ＭＯＵＮＴＩＮＧ  ＵＳＥＲ  ＩＮＴＥＲＦＡＣＥ  ＤＥＶＩＣＥＳ）」と題されたシリアル番号第１１／８２８，１９３号の米国特許出願、及び２００７年８月７日に出願された「視聴コンテンツを提示するためのユーザインターフェースデバイス及び方法（ＵＳＥＲ  ＩＮＴＥＲＦＡＣＥ  ＤＥＶＩＣＥ  ＡＮＤ  ＭＥＴＨＯＤ  ＦＯＲ  ＰＲＥＳＥＮＴＩＮＧ  ＶＩＥＷＩＮＧ  ＣＯＮＴＥＮＴ）」と題されたシリアル番号第１１／８３５，３７１号の米国特許出願で説明されるように提供される取り付けシステム３６３を用いることを含む任意の従来の方法で搭載されてもよく、これらの出願は、本出願の譲受人に譲渡されており、かつこれらの出願のそれぞれの開示は、その全体が参照することにより本明細書に組み込まれる。
【００３３】
図４Ａに図示されるように、ユーザインターフェースシステム３６０はさらに、（図６Ｂに図示された）ユーザ（又は乗客）７００が制御信号２２０の交換を用いることなどで乗り物情報システム３００と通信することを可能にする入力システム３６６を含むことができる。例えば、入力システム３６６は、ユーザ７００が乗り物情報システム３００の動作を制御するために、１つ又はそれ以上のユーザ命令２３０を入力することを可能にしてもよい。例示的なユーザ命令２３０は、コンテンツソース３１０との通信を開始する命令、提示のための視聴コンテンツ２１０を選択する命令、及び／又は選択された視聴コンテンツ２１０の提示を制御する命令を含んでもよい。視聴コンテンツ２１０にアクセスするために料金が必要とされる場合、支払い情報がさらに、入力システム３６６を介して入力されてもよい。
【００３４】
入力システム３６６は、任意の従来の方法で提供されてもよく、典型的に、キーボード又はキーパッドなどの１つ又はそれ以上のスイッチ（又は押しボタン）、及び／又はマウス、トラックボール、又はスタイラスなどのポインティングデバイスを含む。要望に応じて、入力システム３６６は、関連するビデオインターフェースシステム３６２及び／又はオーディオインターフェースシステム３６４に少なくとも部分的に統合されてもよく、かつ／又は関連するビデオインターフェースシステム３６２及び／又はオーディオインターフェースシステム３６４から分離可能であってもよい。例えば、ビデオインターフェースシステム３６２及び入力システム３６６は、タッチスクリーン表示システムとして提供されてもよい。入力システム３６６はさらに、フルサイズのコンピュータキーボード、外付けマウス、及び／又はゲームパッドなどの周辺機器の入力デバイス（図示せず。）を乗り物情報システム３００と接続するための１つ又はそれ以上の入力ポート（図示せず。）を含んでもよい。
【００３５】
ユーザインターフェースシステム３６０の少なくとも１つは、（図４Ｂに図示された）パーソナルメディアデバイス２００を乗り物情報システム３００に接続するための従来の通信ポート（又はコネクタ）などの有線及び／又は無線アクセスポイント３６８を含むことが好ましい。これによって、乗り物３９０に乗って移動している乗客（図示せず。）は、移動の間に、個人的に選択された視聴コンテンツを楽しむことができる。アクセスポイント３６８は、関連する客席３８２の近くに位置し、かつシートバック３８６、壁３９６、天井、及び／又は隔壁などの任意の適切な客室の表面で提供されてもよい。
【００３６】
図４Ｂに転じると、パーソナルメディアデバイス２００及び乗り物情報システム３００は、それぞれのアクセスポイント３６８を介して通信するように示されている。図１を参照して上述されたように提供されるので、例示されるパーソナルメディアデバイス２００は、視聴コンテンツ２１０を視覚的に提示するビデオ表示システム２４０、及び視聴コンテンツ２１０を聴覚的に提示するオーディオシステム２５０をそれぞれ含む。それぞれのパーソナルメディアデバイス２００は、ユーザ制御システム２６０を含んでもよく、ユーザ制御システム２６０は、任意の従来の方法で提供されてもよく、典型的に、キーボード又はキーパッドなどの１つ又はそれ以上のスイッチ（又は押しボタン）、及び／又はマウス、トラックボール、又はスタイラスなどのポインティングデバイスを含む。これによって、パーソナルメディアデバイス２００は、所望の視聴コンテンツ２１０を選択することができ、かつ選択された視聴コンテンツ２１０が受信されかつ／又は提示される方法を制御することができる。
【００３７】
パーソナルメディアデバイス２００はさらに、通信ポート（又はコネクタ）２７０を含む。通信ポート２７０は、パーソナルメディアデバイス２００がユーザインターフェースシステム３６０のアクセスポイント３６８を介して乗り物情報システム３００と通信することを可能にする。パーソナルメディアデバイス２００Ａを用いて説明されるように、通信ポート２７０及びアクセスポイント３６８は、無線通信をサポートすることができる。一方、通信ポート２７０とアクセスポイント３６８との間の通信ケーブルアセンブリ５００を介する有線通信のサポートは、パーソナルメディアデバイス２００Ｂを用いて示される。通信ポート２７０とアクセスポイント３６８とが通信しているとき、乗り物情報システム３００は、関連するパーソナルメディアデバイス２００が、ユーザフレンドリーな通信インターフェースを用いて乗り物情報システム３００と統合されることを可能にする簡単な方法をサポートする。
【００３８】
パーソナルメディアデバイス２００と乗り物情報システム３００とが通信しているとき、乗り物情報システム３００は、複数の統合タスクを同時に実行することができ、パーソナルメディアデバイス２００が、選択されたアクセスポイント３６８を介して乗り物情報システム３００と完全に統合されることを可能にする。これによって、乗り物情報システム３００及びパーソナルメディアデバイス２００のシステム構成要素は、交換可能になる。パーソナルメディアデバイス２００はさらに、制御信号（又はコマンド）２２０及び／又は動作電力２２０Ｐを乗り物情報システム３００から受信することができる。これによって、パーソナルメディアデバイス２００は、有利に、乗り物情報システム３００のシームレスな部分になることができる。
【００３９】
例えば、乗り物情報システム３００の動作を制御するための（図２Ａ及び図２Ｂに図示された）ユーザ命令２３０は、乗り物情報システム３００の入力システム３６６、及び／又はパーソナルメディアデバイス２００のユーザ制御システム２６０を介して提供されてもよい。言い換えると、乗り物情報システム３００の入力システム３６６及び／又はパーソナルメディアデバイス２００のユーザ制御システム２６０は、視聴コンテンツ２１０を選択するため、及び選択された視聴コンテンツ２１０が受信されかつ／又は提示される方法を制御するために使用されてもよい。選択された視聴コンテンツ２１０は、乗り物情報システム３００の（図２Ａ及び図２Ｂに図示された）関連するコンテンツソース３１０、及び／又はパーソナルメディアデバイス２００内に設けられる記憶媒体（図示せず。）によって提供されてもよい。これによって、選択された視聴コンテンツ２１０のビデオ部分は、乗り物情報システム３００のビデオ提示システム３６２、及び／又はパーソナルメディアデバイス２００のビデオ表示システム２４０を介して提示されてもよい。乗り物情報システム３００のオーディオ提示システム３６４、及び／又はパーソナルメディアデバイス２００のオーディオシステム２５０は、選択された視聴コンテンツ２１０のオーディオ部分を提示するために使用されてもよい。パーソナルメディアデバイス２００のビデオ表示システム２４０が、乗り物情報システム３００のビデオ提示システム３６２より非常に小さい場合、乗客は、選択された視聴コンテンツ２１０をより大きいビデオ提示システム３６２を介して視聴することを好むかもしれない。
【００４０】
もはや使用されないとき、及び／又はそうでなければパーソナルメディアデバイス２００との直接的な物理的な接点が必要でないとき、パーソナルメディアデバイス２００は、客席３８２に格納されることができる。例えば、客席３８２は、パーソナルメディアデバイス２００の格納を提供するための格納区画３８９を含んでもよい。格納区画３８９は、任意の従来の方法で、かつ客席３８２の任意の適切な部分で提供されてもよい。客席３８２Ｂを用いて示されるように、パーソナルメディアデバイス２００は、客席３８２Ｂのアームレスト３８８内に形成される格納ポケット３８９Ｂに配置されてもよい。格納区画３８９はさらに、客席３８２のシートバック３８６及び／又はヘッドレスト３８４に提供されてもよい。例えば、客席３８２Ａの格納区画３８９Ａは、客席３８２Ａの下方のシートバック３８６に形成されるように示されている。要望に応じて、格納区画３８９は、頭上の格納区画、ドア格納区画、客席３８２の下部に提供される格納区画、又は乗客用の乗り物３９０で利用可能なグローブボックス、トランク、又はクローゼットなどの任意の他のタイプの従来の格納区画を備えてもよい。
【００４１】
詳細に上述したように、乗り物情報システム３００は、任意の従来の有線及び／又は無線の方法で、パーソナルメディアデバイス２００と通信することができる。例えば、パーソナルメディアデバイス２００がｉＰｈｏｎｅ（登録商標）デジタル電子メディアデバイス２００’を備える場合、乗り物情報システム３００とｉＰｈｏｎｅ（登録商標）デジタル電子メディアデバイス２００’とは、図５Ａ及び図５Ｂに図示される方法で通信することができる。乗り物情報システム３００とｉＰｈｏｎｅ（登録商標）デジタル電子メディアデバイス２００’との間の通信を確立するための例示的な方法は、上記で参照した２００８年９月１２日に出願された代理人事件番号７００５４６．４０２９「ポータブルメディアデバイスを乗り物情報システムとインターフェースにより接続するためのシステム及び方法（ＳＹＳＴＥＭ  ＡＮＤ  ＭＥＴＨＯＤ  ＦＯＲ  ＩＮＴＥＲＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＳＴＥＭ）」において示されかつ説明される。
【００４２】
図５Ａは、乗り物情報システム３００とｉＰｈｏｎｅ（登録商標）デジタル電子メディアデバイス２００’との間の有線通信をサポートするための例示的な通信ケーブルアセンブリ５００を示す。通信ケーブルアセンブリ５００は、従来の通信アセンブリを備えてもよく、適切なケーブルの長さを有する通信ケーブル５１０を有し、かつ２つ又はそれ以上の通信コネクタ（又はポート）５２０を用いて終端される。図５Ａに図示されるように、通信ケーブル５１０は、乗り物情報システム３００に取り外し可能に接続するためのシステム通信コネクタ（又はポート）５２０Ａ、及びｉＰｈｏｎｅ（登録商標）デジタル電子メディアデバイス２００’に取り外し可能に接続するためのデバイス通信コネクタ（又はポート）５２０Ｂを用いて終端される。システム通信コネクタ５２０Ａ及びデバイス通信コネクタ５２０Ｂはそれぞれ、任意の従来のタイプのコネクタシステムを備えてもよい。システム通信コネクタ５２０Ａ及びデバイス通信コネクタ５２０Ｂは、説明の目的のみのために、通信ケーブルアセンブリ５００のそれぞれの反対の末端領域５１０Ａ、５１０Ｂで提供されるとして示されかつ説明されたが、任意の従来の方法で通信ケーブルアセンブリ５００に提供されてもよい。
【００４３】
上述したように、通信ケーブルアセンブリ５００は、オーディオ信号、ビデオ信号、データ信号、制御信号、及び電源信号などの様々な信号のタイプを伝送するために利用されてもよい。通信ケーブル５１０は、これらの様々な信号の間の干渉（又はクロストーク）を最小化する方法で提供されることが好ましい。乗り物情報システム３００のアクセスポイント３６８は、システム通信コネクタ５２０Ａと協働するように構成される通信コネクタ（又はポート）として提供されてもよい。これによって、アクセスポイント３６８は、システム通信コネクタ５２０Ａを受け入れ、かつシステム通信コネクタ５２０Ａに接続される。要望に応じて、システム通信コネクタ５２０Ａはさらに、アクセスポイント３６８から除去（又は切断）されることができる。
【００４４】
図５Ａに図示されるように、パーソナルメディアデバイス２００がｉＰｈｏｎｅ（登録商標）デジタル電子メディアデバイス２００’を備える場合、通信ケーブルアセンブリ５００のデバイス通信コネクタ５２０Ｂは、ｉＰｈｏｎｅ（登録商標）デジタル電子メディアデバイス２００’の通信コネクタ２７０によって受け入れられ、かつ取り外し可能に接続されるために適した３０ピンのコネクタを備えてもよい。言い換えると、通信ケーブルアセンブリ５００のデバイス通信コネクタ５２０Ｂは、ｉＰｈｏｎｅ（登録商標）デジタル電子メディアデバイス２００’の通信コネクタ２７０と協働することができる。ｉＰｈｏｎｅ（登録商標）デジタル電子メディアデバイス２００’は、それぞれ図４Ｂを参照して詳細に上述されたように提供されるビデオ表示システム２４０、オーディオシステム２５０、及びユーザ制御システム２６０を備えるように示されている。
【００４５】
ビデオ表示システム２４０及びユーザ制御システム２６０は、ｉＰｈｏｎｅ（登録商標）デジタル電子メディアデバイス２００’からの視聴コンテンツのメニュー構成を提示するためのタッチスクリーン表示システムとして提供されることが好ましい。タッチスクリーン表示システムは、ｉＰｈｏｎｅ（登録商標）デジタル電子メディアデバイス２００’に関連する選択された機能及び／又は視聴コンテンツ２１０に関連する複数のユーザ選択可能なアイコン２６０Ａを含むことが好ましい。図５Ａに図示されるように、ｉＰｈｏｎｅ（登録商標）デジタル電子メディアデバイス２００’のオーディオシステム２５０は、ヘッドセット（図示せず。）を受け入れるための少なくとも１つのオーディオジャックを含む。これによって、ｉＰｈｏｎｅ（登録商標）デジタル電子メディアデバイス２００’は、所望の視聴コンテンツ２１０を選択し、かつ／又は選択された視聴コンテンツ２１０が受信されかつ／又は提示される方法を制御するための制御信号（又はコマンド）２２０を交換することができる。ｉＰｈｏｎｅ（登録商標）デジタル電子メディアデバイス２００’はさらに、動作電力２２０Ｐを乗り物情報システム３００から受信するように示される。
【００４６】
通信ケーブルアセンブリ５００を介して接続されるとき、ｉＰｈｏｎｅ（登録商標）デジタル電子メディアデバイス２００’と乗り物情報システム３００とは、好ましくは、ｉＰｈｏｎｅ（登録商標）デジタル電子メディアデバイス２００’の認証を必要とせずに、通信を開始し、かつ維持することができる。これによって、任意の機内（車内、船内）サービス及びローカル視聴コンテンツを含む視聴コンテンツ２１０は、ｉＰｈｏｎｅ（登録商標）デジタル電子メディアデバイス２００’のユーザ制御システム２６０によって、ｉＰｈｏｎｅ（登録商標）デジタル電子メディアデバイス２００’のビデオ表示システム２４０及び／又はオーディオシステム２５０上で提示するために選択されることができる。ｉＰｈｏｎｅ（登録商標）デジタル電子メディアデバイス２００’のユーザ制御システム２６０はさらに、ｉＰｈｏｎｅ（登録商標）デジタル電子メディアデバイス２００’によって提供される視聴コンテンツ２１０を提示するために選択することができる。ｉＰｈｏｎｅ（登録商標）デジタル電子メディアデバイス２００’のビデオ表示システム２４０は、典型的に、乗り物情報システム３００のビデオ提示システム３６２よりも非常に小さいので、（図７Ｂに図示された）乗客（又はユーザ）７００は、選択された視聴コンテンツ２１０をより大きいビデオ提示システム３６２を介して視聴することを好むかもしれない。
【００４７】
要望に応じて、乗客７００は、選択された視聴コンテンツ２１０をｉＰｈｏｎｅ（登録商標）デジタル電子メディアデバイス２００’のビデオ表示システム２４０を介して視聴することを選択するかもしれない。これによって、ｉＰｈｏｎｅ（登録商標）デジタル電子メディアデバイス２００’のホームページは、乗り物情報システム３００によって提供される選択された視聴コンテンツ２１０を備えるように変更されることができる。乗り物情報システム３００のオーディオ提示システム３６４が、オーディオインターフェースシステム３６４によって生成される音質をさらに改善するためのオプションの雑音除去システムなどのサウンド改善システム（図示せず。）を含む場合、乗客７００は、選択された視聴コンテンツ２１０を、ｉＰｈｏｎｅ（登録商標）デジタル電子メディアデバイス２００’のオーディオシステム２５０ではなく乗り物情報システム３００のオーディオ提示システム３６４を介して聞くことを選択してもよい。
【００４８】
代替としてかつ／又は追加として、乗り物情報システム３００の入力システム３６６は、乗り物情報システム３００及び／又はｉＰｈｏｎｅ（登録商標）デジタル電子メディアデバイス２００’からの視聴コンテンツ２１０を提示するために選択すること可能にする。入力システム３６６はさらに、選択された視聴コンテンツ２１０の提示を上記で議論した方法で制御することができる。言い換えると、入力システム３６６は、ユーザ制御信号（又はユーザ制御命令）２３０などの制御信号（又はコマンド）２２０を乗り物情報システム３００及び／又はｉＰｈｏｎｅ（登録商標）デジタル電子メディアデバイス２００’に提供することができる。乗り物情報システム３００と通信し、かつ入力システム３６６によって制御されるとき、ｉＰｈｏｎｅ（登録商標）デジタル電子メディアデバイス２００’は、（図４Ａ及び図４Ｂに図示された）客席３８２で提供される（図４Ａ及び図４Ｂに図示された）格納区画３８９に好都合に格納されてもよい一方で、乗り物情報システム３００は、アクセスポイント３６８を介してｉＰｈｏｎｅ（登録商標）デジタル電子メディアデバイス２００’と通信し続ける。有利に、ｉＰｈｏｎｅ（登録商標）デジタル電子メディアデバイス２００’によって提供される視聴コンテンツ２１０は、乗り物情報システム３００のビデオ提示システム３６２及び／又はオーディオ提示システム３６４を介して視聴されることができる一方、ｉＰｈｏｎｅ（登録商標）デジタル電子メディアデバイス２００’は、格納区画３８９に安全に収容される。
【００４９】
ｉＰｈｏｎｅ（登録商標）デジタル電子メディアデバイス２００’と乗り物情報システム３００とは、無線通信システムを介して通信することが好ましい。図５Ｂに図示されるように、乗り物情報システム３００のアクセスポイント３６８は、無線アクセスポイントを備えるように示されている。一方、ｉＰｈｏｎｅ（登録商標）デジタル電子メディアデバイス２００’の通信ポート２７０は、無線通信ポートとして提供される。無線アクセスポイント３６８の所定の範囲（又は近傍）内に配置される場合、ｉＰｈｏｎｅ（登録商標）デジタル電子メディアデバイス２００’は、乗り物情報システム３００と無線アクセスポイント３６８を介して通信することができる。視聴コンテンツ２１０及び／又は制御信号（又はコマンド）２２０は、乗り物情報システム３００の無線アクセスポイント３６８とｉＰｈｏｎｅ（登録商標）デジタル電子メディアデバイス２００’の無線通信ポート２７０との間で交換されることができる。乗り物情報システム３００は、ｉＰｈｏｎｅ（登録商標）デジタル電子メディアデバイス２００’とともに、任意の従来の無線通信プロトコルをサポートすることができる。例示的な無線プロトコルは、米国電気電子技術者協会（ＩＥＥＥ）規格８０２．１１に準拠するワイヤレスフィデリティ（Ｗｉ−Ｆｉ）プロトコル、及び／又はＩＥＥＥ規格８０２．１６に準拠し、ＷｉＭａｘ無線ブロードバンドプロトコルとしても知られる無線メトロポリタンエリアネットワーク（ＭＡＮ）プロトコルを含む。
【００５０】
図６Ａ乃至図６Ｆに転じると、乗り物情報システム３００のビデオ提示システム３６２、オーディオ提示システム３６４、及び／又は入力システム３６６は、統合オーディオ／ビデオ提示システム６００として提供されてもよい。言い換えると、ビデオ提示システム３６２は、統合オーディオ／ビデオ提示システム６００に設けられる視覚スクリーン（viewing screen）６１０を含んでもよく、かつ１つ又はそれ以上のオーディオポート（又はコネクタ又はジャック）６２０（又は内部のスピーカシステム）が、オーディオ提示システム３６４として統合オーディオ／ビデオ提示システム６００に提供される。これによって、乗り物情報システム３００が（図５に図示された）ｉＰｈｏｎｅ（登録商標）デジタル電子メディアデバイス２００’と通信しているとき、ｉＰｈｏｎｅ（登録商標）デジタル電子メディアデバイス２００’によって提供される（図２Ａ及び図２Ｂに図示された）選択された視聴コンテンツ２１０が、統合オーディオ／ビデオ提示システム６００の視覚スクリーン６１０及び／又はオーディオジャック６２０を介して提示されることができる。要望に応じて、統合オーディオ／ビデオ提示システム６００はさらに、周辺機器ビデオ提示システム及び／又はハンドヘルドユーザ制御システムと通信するための１つ又はそれ以上の他のタイプのポート（又はコネクタ又はジャック）（図示せず。）を含んでもよい。
【００５１】
統合オーディオ／ビデオ提示システム６００は、改善された視聴コンテンツ提示能力を提供することが好ましい。例えば、視覚スクリーン６１０は、ｉＰｈｏｎｅ（登録商標）デジタル電子メディアデバイス２００’の（図５Ａ及び図５Ｂに図示された）ビデオ表示システム２４０のスクリーンサイズよりも大きいスクリーンサイズを有する高解像度の視覚スクリーン６１０として提供されてもよい。代替としてかつ／又は追加として、統合オーディオ／ビデオ提示システム６００のオーディオ提示システム３６４は、視聴コンテンツ２１０の音質をさらに改善するための従来の雑音除去システム（図示せず。）を含んでもよい。
【００５２】
統合オーディオ／ビデオ提示システム６００はさらに、ｉＰｈｏｎｅ（登録商標）デジタル電子メディアデバイス２００から利用可能な視聴コンテンツ２１０を選択し、かつ／又は選択された視聴コンテンツ２１０が統合オーディオ／ビデオ提示システム６００によって提示される方法を制御するための入力システム３６６に関連してもよい。要望に応じて、統合オーディオ／ビデオ提示システム６００のビデオ提示システム３６２、オーディオ提示システム３６４、及び／又は入力システム３６６は、少なくとも部分的に統合されてもよい。例えば、統合オーディオ／ビデオ提示システム６００のビデオ提示システム３６２及び入力システム３６６は、タッチスクリーン表示システムを含んでもよい。従来のタッチスクリーン表示システムが統合オーディオ／ビデオ提示システム６００に組み込まれてもよいが、従来のタッチスクリーン表示システムは、乗り物情報システム３００とともに使用するように構成することは難しいことがわかり、かつ信頼性の問題を有する。
【００５３】
例えば、タッチスクリーン表示システムは、静電容量方式タッチスクリーン技術を用いてもよい。例示的な静電容量方式タッチスクリーン表示システムは、英国サリー州のトライデントリミテッド（Trident Ltd）、カリフォルニア州メンロパークのイーロ・タッチシステムズインコーポレイテッド（Elo TouchSystems Inc.）、及びテキサス州シーダーパークのタッチケーオーインコーポレイテッド（TouchKO Inc.）によって製造されている。タッチスクリーン表示システムのカラーマスクが、タッチスクリーンパネルとディスプレイとの間に配置される場合、表面型の静電容量方式タッチスクリーン表示システムが用いられてもよい。説明の目的のみのために、静電容量方式タッチスクリーン技術を備えるとして示されかつ説明されたが、タッチスクリーン表示システムは、抵抗膜方式タッチスクリーン技術及び／又は赤外線（ＩＲ）方式タッチスクリーン技術などの他のタッチスクリーン技術を用いて提供されてもよい。
【００５４】
要望に応じて、統合オーディオ／ビデオ提示システム６００の視覚スクリーン６１０及びオーディオジャック６２０（又は内部のスピーカシステム）は、同一平面上の配置で取り付けられてもよい。言い換えると、オーディオジャック６２０（又は内部のスピーカシステム）は、視覚スクリーン６１０と同一平面で統合オーディオ／ビデオ提示システム６００に取り付けられてもよい。少なくとも１つの開口部（図示せず。）が、オーディオジャック６２０（又は内部のスピーカシステム）を受け入れるために、統合オーディオ／ビデオ提示システム６００の視覚スクリーン６１０に形成されてもよい。これによって、オーディオジャック６２０（又は内部のスピーカシステム）は、開口部によって受け入れられ、かつ／又は開口部内に配置されることができる。表面弾性波（ＳＡＷ）技術のアプリケーションはさらに、開口部が形成された後に、視覚スクリーン６１０が適切に動作することを可能にすることができる。静電容量方式タッチスクリーン表示システムは、有利に、開口部及び／又はフィルムオーバーレイ（film overlay）（図示せず。）を介して動作するための十分な電源を備えてもよい。フィルムオーバーレイは、タッチスクリーンパネルの後又は前を含む任意の従来の方法で、静電容量方式タッチスクリーン表示システムに設けられてもよい。
【００５５】
図６Ａは、統合オーディオ／ビデオ提示システム６００の入力システム３６６が、任意の適切な配置で提供される１つ又はそれ以上のユーザ制御部を含んでもよいことを示す。例えば、入力システム３６６は、（図６Ｆに図示された）従来のスクロールバー２１０Ｓなどを介して（図２Ａ及び図２Ｂに図示された）視聴コンテンツ２１０の再生を制御するためのビデオ制御システム６３０を含んでもよい。入力システム３６６の例示的なオーディオ制御システム６４０は、視聴コンテンツ２１０のオーディオ部分の音量を増大させるための第１のボタン６４０Ａ、及び／又はオーディオ部分の音量を減少させるための第２のボタン６４０Ｂを有する音量制御システムとして示されている。要望に応じて、統合オーディオ／ビデオ提示システム６００の入力システム３６６は、少なくとも１つの他のユーザ制御部を含んでもよい。図６Ａの統合オーディオ／ビデオ提示システム６００は、オン／オフボタンなどの電源制御システム６５０を有するものとして示されている。乗客用の乗り物に搭載される場合、統合オーディオ／ビデオ提示システム６００はさらに、１つ又はそれ以上の機内（車内、船内）乗客サービスを制御するための機内（車内、船内）サービス制御システム６５５を含んでもよい。機内サービス制御システム６５５は、客室乗務員呼び出しボタン６５５Ａ、客室乗務員呼び出し取り消しボタン６５５Ｂ、及び／又は座席照明システム制御ボタン６５５Ｃを含むものとして図６Ａに図示される。
【００５６】
乗り物情報システム３００で利用可能な（図２Ａ及び図２Ｂに図示された）視聴コンテンツ２１０、及び任意の接続されたパーソナルメディアデバイス２００及び／又は（図５Ａ及び図５Ｂに図示された）ｉＰｈｏｎｅ（登録商標）デジタル電子メディアデバイス２００’から利用可能な視聴コンテンツ２１０は、提示のために任意の従来の方法で選択されることができる。ｉＰｈｏｎｅ（登録商標）デジタル電子メディアデバイス２００’などのパーソナルメディアデバイス２００は、典型的に、個人的に提供される視聴コンテンツを含むので、選択されたパーソナルメディアデバイス２００によって提供される視聴コンテンツ２１０は、（図２Ａ及び図２Ｂに図示された）乗り物３９０内の（図４Ａ及び図４Ｂに図示された）関連する客席３８２でのみ利用可能であり、（図７Ｂに図示された）乗客（又はユーザ）７００のプライバシーを保護することが好ましい。しかしながら、要望に応じて、選択されたパーソナルメディアデバイス２００によって提供される視聴コンテンツ２１０は、乗り物３９０内の他の客席３８２で利用可能にされてもよい。例えば、２人又はそれ以上の乗客７００がグループで移動している場合、そのグループの乗客は、彼らのパーソナルメディアデバイス２００からの視聴コンテンツ２１０を乗り物情報システム３００を介して互いに共有することを望むかもしれない。したがって、乗客７００は、移動の間に、自分のパーソナルメディアデバイス２００上の視聴コンテンツ２１０を乗り物情報システム３００を介して、１人又はそれ以上の選択された乗客７００（又は選択された客席３８２）に利用可能にすることを選択してもよい。
【００５７】
例えば、統合オーディオ／ビデオ提示システム６００は、乗り物情報システム３００で利用可能な（図２Ａ及び図２Ｂに図示された）視聴コンテンツ２１０を提示のために選択するためのメニューシステムを提示してもよい。一実施形態では、メニューシステムは、階層的な（又は連続的な）メニューシステムを備えてもよい。図７Ｂに転じると、統合オーディオ／ビデオ提示システム６００は、様々なタイプの視聴コンテンツ２１０、及び／又は乗り物情報システム３００に関連する（図２Ａ及び図２Ｂに図示された）様々なタイプのコンテンツソース３１０に関連する複数のコンテンツのしるし（content indicia）６６５のリストを含むコンテンツメニューシステム６６０を提示してもよい。例示的なタイプのコンテンツのしるし６６５は、買い物コンテンツのしるし６６５Ａ、少なくとも１つのｉＰｈｏｎｅ（登録商標）デジタル電子メディアデバイスコンテンツのしるし６６５Ｂ、及び／又はテレビジョン／映画コンテンツのしるし６６５Ｃを含んでもよい。
【００５８】
図６Ｂに図示されるように、コンテンツのしるし６６５は、単語又は略語などのテキスト、及び／又は利用可能な視聴コンテンツ２１０を識別する少なくとも１つのシンボルを使用することを含む任意の従来の方法で、利用可能な視聴コンテンツ２１０を識別することができる。テキスト記述は、１つ又はそれ以上の関連する言語で提供されてもよく、かつ好ましくは、適切な言語が、乗り物情報システム３００の地理的なロケーションに基づいて提示されるように変更可能である。ユーザ７００は、統合オーディオ／ビデオ提示システム６００のタッチスクリーン表示システムなどの（図６Ａに図示された）入力システム３６６を介して、コンテンツメニューシステム６６０をナビゲートすることができ、これによって、統合オーディオ／ビデオ提示システム６００の（図６Ａに図示された）入力システム３６６を介して関連するコンテンツのしるし６６５を選択すること（又は起動すること）によって、関連するタイプの視聴コンテンツ２１０及び／又はコンテンツソース３１０を選択することができる。
【００５９】
（図６Ｂに図示された）ｉＰｈｏｎｅ（登録商標）デジタル電子メディアデバイスコンテンツのしるし６６５Ｂが起動される場合、統合オーディオ／ビデオ提示システム６００は、図６Ｃに図示されるように、ｉＰｈｏｎｅ（登録商標）コンテンツメニューシステム６７０を提示してもよい。ｉＰｈｏｎｅ（登録商標）コンテンツメニューシステム６７０は、（図５Ａ及び図５Ｂに図示された）関連するｉＰｈｏｎｅ（登録商標）デジタル電子メディアデバイス２００から利用可能な（図２Ａ及び図２Ｂに図示された）様々なタイプの視聴コンテンツ２１０に関連する複数のｉＰｈｏｎｅ（登録商標）コンテンツのしるし６７５のリストを含むように示されており、乗り物情報システム３００と通信している。例示的なタイプのｉＰｈｏｎｅ（登録商標）コンテンツのしるし６７５は、ｉＰｈｏｎｅ（登録商標）音楽コンテンツのしるし６７５Ａ、ｉＰｈｏｎｅ（登録商標）写真コンテンツのしるし６７５Ｂ、ｉＰｈｏｎｅ（登録商標）ビデオコンテンツのしるし６７５Ｃ、及び／又はｉＰｈｏｎｅ（登録商標）エクストラコンテンツのしるし６７５Ｄを含んでもよい。
【００６０】
乗り物情報システム３００が、視聴コンテンツのメニュー構成をｉＰｈｏｎｅ（登録商標）デジタル電子メディアデバイス２００’からダウンロードし、統合オーディオ／ビデオ提示システム６００が、ｉＰｈｏｎｅ（登録商標）視聴コンテンツのメニュー構成に基づいて、ｉＰｈｏｎｅ（登録商標）コンテンツメニューシステム６７０を生成することが好ましい。これによって、ｉＰｈｏｎｅ（登録商標）コンテンツメニューシステム６７０は、ｉＰｈｏｎｅ（登録商標）設定のしるし６７５Ｅ及び／又はｉＰｈｏｎｅ（登録商標）シャッフルソングのしるし６７５Ｆなどの他のｉＰｈｏｎｅ（登録商標）デジタル電子メディアデバイスのオプションのための追加のｉＰｈｏｎｅ（登録商標）コンテンツのしるし６７５を含むことができる。ユーザ７００は、統合オーディオ／ビデオ提示システム６００の入力システム３６６を介して、ｉＰｈｏｎｅ（登録商標）コンテンツメニューシステム６７０をナビゲートすることができ、これによって、統合オーディオ／ビデオ提示システム６００の（図６Ａに図示された）入力システム３６６を介して関連するｉＰｈｏｎｅ（登録商標）コンテンツのしるし６７５を選択すること（又は起動すること）によって、関連するタイプのｉＰｈｏｎｅ（登録商標）視聴コンテンツ２１０を選択することができる。
【００６１】
図６Ｄは、（図６Ｃに図示された）ｉＰｈｏｎｅ（登録商標）ビデオコンテンツのしるし６７５Ｃが起動されるときに、統合オーディオ／ビデオ提示システム６００によって提示されるｉＰｈｏｎｅ（登録商標）ビデオコンテンツメニューシステム６８０を示す。ｉＰｈｏｎｅ（登録商標）ビデオコンテンツメニューシステム６８０は、（図５Ａ及び図５Ｂに図示された）関連するｉＰｈｏｎｅ（登録商標）デジタル電子メディアデバイス２００’から利用可能な（図２Ａ及び図２Ｂに図示された）様々なタイプのビデオ視聴コンテンツ２１０に関連する複数のｉＰｈｏｎｅ（登録商標）ビデオコンテンツのしるし６８５のリストを含んでもよい。図６Ｄに図示されるように、ｉＰｈｏｎｅ（登録商標）ビデオコンテンツメニューシステム６８０のｉＰｈｏｎｅ（登録商標）ビデオコンテンツのしるし６８５は、ｉＰｈｏｎｅ（登録商標）映画コンテンツのしるし６８５Ｂ、ｉＰｈｏｎｅ（登録商標）音楽ビデオコンテンツのしるし６８５Ｃ、ｉＰｈｏｎｅ（登録商標）テレビジョン番組コンテンツのしるし６８５Ｄ、及び／又はｉＰｈｏｎｅ（登録商標）ビデオポッドキャストコンテンツのしるし６８５Ｅを含んでもよい。
【００６２】
乗り物情報システム３００は、視聴コンテンツのメニュー構成をｉＰｈｏｎｅ（登録商標）デジタル電子メディアデバイス２００’からダウンロードすることが好ましいので、統合オーディオ／ビデオ提示システム６００は、ｉＰｈｏｎｅ（登録商標）視聴コンテンツのメニュー構成に基づいて、ｉＰｈｏｎｅ（登録商標）ビデオコンテンツメニューシステム６８０を生成することができる。これによって、ｉＰｈｏｎｅ（登録商標）ビデオコンテンツメニューシステム６８０は、ｉＰｈｏｎｅ（登録商標）ビデオ再生リストのしるし６８５Ａ及び／又はｉＰｈｏｎｅ（登録商標）ビデオ設定のしるし６８５Ｆなどの他のｉＰｈｏｎｅ（登録商標）デジタル電子メディアデバイスオプションのための追加のｉＰｈｏｎｅ（登録商標）ビデオコンテンツのしるし６８５を含むことができる。上述したように、ｉＰｈｏｎｅ（登録商標）ビデオコンテンツメニューシステム６８０は、統合オーディオ／ビデオ提示システム６００の入力システム３６６を介してナビゲートされることができ、かつ関連するタイプのビデオ視聴コンテンツ２１０が、統合オーディオ／ビデオ提示システム６００の（図６Ａに図示された）入力システム３６６を介して関連するｉＰｈｏｎｅ（登録商標）ビデオコンテンツのしるし６８５を選択すること（又は起動すること）によって、選択されることができる。
【００６３】
図６Ｅに転じると、統合オーディオ／ビデオ提示システム６００は、ｉＰｈｏｎｅ（登録商標）映画コンテンツメニューシステム６９０を提示するように示されている。統合オーディオ／ビデオ提示システム６００は、（図６Ｄに図示された）ｉＰｈｏｎｅ（登録商標）映画コンテンツのしるし６８５Ｂが、統合オーディオ／ビデオ提示システム６００の（図６Ａに図示された）入力システム３６６を介して選択された（又は起動された）場合、ｉＰｈｏｎｅ（登録商標）映画コンテンツメニューシステム６９０を提示することが好ましい。ｉＰｈｏｎｅ（登録商標）映画コンテンツメニューシステム６９０は、（図５Ａ及び図５Ｂに図示された）関連するｉＰｈｏｎｅ（登録商標）デジタル電子メディアデバイス２００’から利用可能な（図２Ａ及び図２Ｂに図示された）様々なタイプ（又はタイトル）の映画視聴コンテンツ２１０に関連する複数のｉＰｈｏｎｅ（登録商標）映画コンテンツのしるし６９５のリストを含んでもよい。図６Ｅに図示されるように、ｉＰｈｏｎｅ（登録商標）映画コンテンツメニューシステム６９０の映画コンテンツのしるし６９５は、関連するｉＰｈｏｎｅ（登録商標）デジタル電子メディアデバイス２００’から利用可能な選択されたタイトルの映画視聴コンテンツ２１０に関連する映画コンテンツのしるし６９５Ａ乃至Ｈを含んでもよい。
【００６４】
上述したように、乗り物情報システム３００は、視聴コンテンツのメニュー構成をｉＰｈｏｎｅ（登録商標）デジタル電子メディアデバイス２００’からダウンロードしてもよく、かつ統合オーディオ／ビデオ提示システム６００は、ｉＰｈｏｎｅ（登録商標）映画コンテンツメニューシステム６９０をｉＰｈｏｎｅ（登録商標）視聴コンテンツのメニュー構成に基づいて生成してもよい。ｉＰｈｏｎｅ（登録商標）映画コンテンツメニューシステム６９０は、統合オーディオ／ビデオ提示システム６００の入力システム３６６を介してナビゲートされ、関連するタイトルの映画視聴コンテンツ２１０は、上記で議論したように、関連するｉＰｈｏｎｅ（登録商標）映画コンテンツのしるし６９５を起動することによって選択されることができる。例えば、ｉＰｈｏｎｅ（登録商標）映画コンテンツのしるし６９５Ｄが選択される場合、ｉＰｈｏｎｅ（登録商標）映画コンテンツのしるし６９５Ｄに関連する映画視聴コンテンツ２１０Ａが、（図５Ａ及び図５Ｂに図示された）ｉＰｈｏｎｅ（登録商標）デジタル電子メディアデバイス２００’から検索され、かつ図６Ｆに図示されるように、統合オーディオ／ビデオ提示システム６００を介して提示される。有利に、ｉＰｈｏｎｅ（登録商標）デジタル電子メディアデバイス２００’によって提供される映画視聴コンテンツ２１０Ａは、乗り物情報システム３００の統合オーディオ／ビデオ提示システム６００を介して選択されかつ／又は提示されることができる一方、ｉＰｈｏｎｅ（登録商標）デジタル電子メディアデバイス２００’は、（図４Ａ及び図４Ｂに図示された）関連する客席３８２の（図４Ａ及び図４Ｂに図示された）格納区画３８９内に安全に収容される。
【００６５】
図７Ａに図示されるように、統合オーディオ／ビデオ提示システム６００のオーディオポート（又はコネクタ）６２０は、少なくとも１つの分離型通信コネクタシステム８００を含んでもよい。分離型通信コネクタシステム８００は、周辺機器オーディオ提示システム６２４を統合オーディオ／ビデオ提示システム６００に取り外し可能に接続することができる。分離型通信コネクタシステム８００は、有利に、壊れた通信ジャックの取り替えを促進する一方、緊急時に、統合オーディオ／ビデオ提示システム６００から容易に分離して、乗客の安全を保証する。好ましい実施形態では、分離型通信コネクタシステム８００は、動作電力を周辺機器オーディオ提示システム６２４に提供してもよい。これによって、雑音除去ヘッドホンなどの電力供給される（powered）周辺機器オーディオ提示デバイス６２４は、動作電力を分離型通信コネクタシステム８００を介して受信することができる。
【００６６】
周辺機器オーディオ提示システム６２４は、ヘッドホン、スピーカ、及び／又は増幅器などの任意の従来のタイプのオーディオ提示システムを備えてもよい。図７Ａに図示されるように、周辺機器オーディオ提示システム６２４は、適切なケーブル長を有する通信ケーブル６２８を有してもよく、かつ周辺機器通信コネクタ（又はポート）６２６を用いて終端されてもよい。周辺機器通信コネクタ６２６は、統合オーディオ／ビデオ提示システム６００のシステム通信コネクタ（又はポート）６２２と協働する（又は取り外し可能に接続する）ことができる。通信コネクタ６２２，６２６は、固定されずに接続され、かつ必要であれば、容易に分離することができ、分離型通信コネクタシステム８００を形成する。これによって、周辺機器オーディオ提示システム６２４と統合オーディオ／ビデオ提示システム６００とは、分離型通信コネクタシステム８００を介して通信することができる。
【００６７】
要望に応じて、標準のオーディオプラグを有するヘッドホンのセットなどの従来のオーディオ提示システムが、分離型通信コネクタシステム８００と協働するように適合されてもよい。例えば、インターフェースデバイス（図示せず。）が、従来のオーディオ提示システムのオーディオプラグと分離型通信コネクタシステム８００のシステム通信コネクタ６２２との間のインターフェースを提供してもよい。インターフェースデバイスは、従来のオーディオ提示システムのオーディオプラグと協働することができ、かつシステム通信コネクタ６２２に接続するための周辺機器通信コネクタ６２６を含んでもよい。代替としてかつ／又は追加として、従来のオーディオ提示システムは、分離型通信コネクタシステム８００と協働するように構成されるオーディオプラグを備えてもよい。（図６Ｂに図示された）ユーザ（又は乗客）７００の便宜のために、標準のジャックがさらに、（図４Ａ及び図４Ｂに図示された）客席３８２で提供されてもよく、かつ／又は１つより多い分離型通信コネクタシステム８００が、客席３８２に関連してもよい。
【００６８】
説明の目的のみのために、周辺機器オーディオ提示システム６２４を統合オーディオ／ビデオ提示システム６００と接続するとして示されかつ説明されたが、分離型通信コネクタシステム８００は、周辺機器ビデオ提示システム及び／又はハンドヘルドユーザ制御システムを含む任意の従来のタイプの周辺機器提示システムを情報システム１００に接続するために使用されてもよく、かつ任意の適切な取り付け表面に設けられてもよい。言い換えると、情報システム１００が（図２Ａ及び図２Ｂに図示された）乗り物３９０に搭載される場合、分離型通信コネクタシステム８００は、（図４Ａ及び図４Ｂに図示された）シートバック３８６、（図２Ａ及び図２Ｂに図示された）アームレスト３８８、（図４Ａ及び図４Ｂに図示された）壁３９６、天井、及び／又は隔壁などの任意の適切な客室の表面で提供されてもよい。例示的なハンドヘルドユーザ制御システムは、上記で参照した関連する非仮特許出願である２００８年９月１２日に出願された代理人事件番号７００５４６．４０２９「ポータブルメディアデバイスを乗り物情報システムとインターフェースにより接続するためのシステム及び方法（ＳＹＳＴＥＭ  ＡＮＤ  ＭＥＴＨＯＤ  ＦＯＲ  ＩＮＴＥＲＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＳＴＥＭ）」、及び２００８年９月１２日に出願された代理人事件番号７００５４６．４０３９「乗り物情報システムのためのポータブルユーザ制御デバイス及び方法（ＰＯＲＴＡＢＬＥ  ＵＳＥＲ  ＣＯＮＴＲＯＬ  ＤＥＶＩＣＥ  ＡＮＤ  ＭＥＴＨＯＤ  ＦＯＲ  ＶＥＨＩＣＬＥ  ＩＮＦＯＲＭＡＴＩＯＮ  ＳＹＳＴＥＭＳ）」において示されかつ説明される。
【００６９】
分離型通信コネクタシステム８００は、図７Ｂに図示されるように、通信コネクタ６２２と６２６との間の磁気的な接続を提供する磁気システム８１０を使用することが好ましい。図７Ｂに転じると、統合オーディオ／ビデオ提示システム６００のシステム通信コネクタ６２２は、複数のシステム接点８２０とシステム磁石システム８１４とを含んでもよい。システム接点８２０及びシステム磁石システム８１４は、統合オーディオ／ビデオ提示システム６００のハウジングアセンブリ６０５内に設けられることが好ましい。例えば、システム接点８２０及びシステム磁石システム８１４は、ハウジングアセンブリ６０５内に埋め込まれたシステムベゼル８４０内で提供されてもよい。
【００７０】
周辺機器提示システム６２４の周辺機器通信コネクタ６２６は同様に、複数の周辺機器接点８３０及び周辺機器磁石システム８１２として提供されてもよい。通信コネクタ６２２と６２６とが接続されるとき、周辺機器接点８３０は、システム接点８２０と協働するように構成される一方、システム磁石システム８１４と周辺機器磁石システム８１２とが、協働するように構成される。図７Ｂに図示されるように、周辺機器接点８３０及び周辺機器磁石システム８１２は、周辺機器コネクタハウジング６２６Ａ内に設けられてもよい。周辺機器コネクタハウジング６２６Ａは、統合オーディオ／ビデオ提示システム６００のハウジングアセンブリ６０５の少なくとも１つのメーティング（対となる）システム表面（mating system surface）８５０と協働するように構成される少なくとも１つのメーティング周辺機器メーティング表面（mating peripheral mating surface）６２６Ｂを含むことが好ましい。これによって、周辺機器通信コネクタ６２６が統合オーディオ／ビデオ提示システム６００に接続されるとき、メーティング周辺機器メーティング表面６２６Ｂは、メーティングシステム表面８５０と協働して、システム接点８２０と周辺機器接点８３０との間、及び／又は周辺機器磁石システム８１２とシステム磁石システム８１４との間の適切な位置合わせを保証することを支援する。
【００７１】
例えば、メーティングシステム表面８５０は、図７Ｂに図示されるように、メーティング周辺機器メーティング表面６２６Ｂを受け入れるための凹部（図示せず。）、及び／又はメーティング周辺機器メーティング表面６２６Ｂによって形成される開口部６２６Ｃ内に受け入れられる延長部８５２を形成してもよい。要望に応じて、メーティング表面６２６Ｂ，８５０は、周辺機器コネクタハウジング６２６とハウジングアセンブリ６０５とを接続するための１つ又はそれ以上の協働する戻り止めのセットを用いて提供されてもよい。用語「戻り止め」は、周辺機器コネクタハウジング６２６及びハウジングアセンブリ６０５を接続する又は切り離すように選択的に又は自動的に係合及び／又は離脱してもよいブロック、タブ、ポケット、スロット、斜面（ramp）、固定ピン、片持ち梁状の部材（cantilevered member）、指示ピンなどのメーティング構成要素（mating element）の任意の組み合わせを示す。下記で示しかつ説明する協働する戻り止めは、単に例示的なものであり、かつ網羅的なものではないことが理解されるであろう。したがって、分離型通信コネクタシステム８００は、有利に、周辺機器通信コネクタ６２６の周辺機器接点８３０とシステム通信コネクタ６２２のシステム接点８２０との間の電気通信をサポートする一方、周辺機器通信コネクタ６２６が、緊急時に、システム通信コネクタ６２２から容易に分離して、乗客の安全を保証することを可能にする。
【００７２】
好ましい実施形態では、システム接点８２０は、システムプリント回路基板（ＰＣＢ）アセンブリ８２５に提供されてもよく、かつ／又は周辺機器接点８３０は、周辺機器プリント回路基板（ＰＣＢ）アセンブリ８３５に提供されてもよい。これによって、分離型通信コネクタシステム８００は、有利に、通信コネクタ６２２と通信コネクタ６２６との間の平坦な表面−表面接点を提供することができる。ＰＣＢアセンブリ８２５及び周辺機器ＰＣＢアセンブリ８３５は、任意の従来の方法で提供されてもよく、かつ平坦で柔軟なプリント回路基板（ＰＣＢ）アセンブリとして提供されることが好ましい。平坦で柔軟なＰＣＢアセンブリとして提供される場合、周辺機器ＰＣＢアセンブリ８３５は、（図７Ａに図示された）通信ケーブル６２８内のオーディオ導体を周辺機器オーディオ提示システム６２４の周辺機器通信コネクタ６２６に接続するために使用されてもよい。要望に応じて、個別配線（図示せず。）をさらに使用してもよい。例えば、（図４Ａ及び図４Ｂに図示された）ビデオインターフェースシステム３６２がタッチスクリーン表示システムとして提供されるとき、タッチスクリーン表示システムは、システム通信コネクタ６２２に関連する配線を収容する内部の物理的な空間を決める必要があるかもしれない。システム通信コネクタ６２２とともに平坦で柔軟なＰＣＢアセンブリを使用することは、有利に、内部の物理的な空間が最小化されることを可能にする。
【００７３】
システム通信コネクタ６２２のシステム接点８２０は、任意の従来の方法又は接点配置で、システムＰＣＢアセンブリ８２５に設けられてもよい。同様に、周辺機器通信コネクタ６２６の周辺機器接点８３０は、任意の従来の方法又は接点配置で、周辺機器ＰＣＢアセンブリ８３５に設けられてもよい。周辺機器接点８３０は、システム通信コネクタ６２２と周辺機器通信コネクタ６２６とが接続されるときに、システム接点８２０と協働する（又は通信する）ように構成される。言い換えると、システム通信コネクタ６２２のシステム接点８２０と関連する周辺機器通信コネクタ６２６の周辺機器接点８３０とは、同一の接点配置を有して提供されることが好ましい。
【００７４】
システム接点８２０及び周辺機器接点８３０のための例示的な接点配置が、図８Ａ乃至図８Ｇに図示される。説明の目的のみのために、システム通信コネクタ６２２のシステム接点８２０を参照して示されかつ説明されるが、例示的な接点配置は、周辺機器通信コネクタ６２６の周辺機器接点８３０に等しく適用される。本明細書で示されかつ説明される例示的な接点配置は、網羅的なものではなく、かつ説明の目的のみのために本明細書で提供され、かつ制限の目的のために提供されるものではない。
【００７５】
図８Ａに転じると、システム通信コネクタ６２２のシステム接点８２０は、同心円の（又は標的の）接点配置で提供されてもよい。図８Ａの接点配置は、１つ又はそれ以上の円形のシステム接点８２２，８２４の中に設けられる中央のシステム接点８２６を含む。円形のシステム接点８２２，８２４は、システム接点８２４を用いて示されるような均一なシステム接点の幅、及び／又はシステム接点８２２，８２４を用いて示されるような異なるシステム接点の幅で提供されてもよい。言い換えると、システム接点８２０の接点配置は、任意の適切な横断面を有して提供されてもよい。図８Ａに図示されるように、選択された円形のシステム接点８２４は、完全な円の形状で単一の（又は連続的な）接点を形成してもよく、かつ／又は選択された円形のシステム接点８２２は、半円の形状で２つ又はそれ以上の接点８２２Ａ，８２２Ｂを備えてもよい。隣接するシステム接点８２２，８２４，８２６の間の間隔は、図８Ａに図示されるように、均一であってもよく、かつ／又は図８Ｂに図示されるように、異なってもよい。これによって、システム通信コネクタ６２２は、有利に、図８Ａの同心円の接点配置のシステム接点８２２，８２４，８２６の連続的な接点表面を利用して、接点がシステム接点８２２，８２４，８２６のそれぞれのために作られることを保証することを支援する。
【００７６】
図８Ａに図示される同心円の接点配置のシステム接点８２２，８２４，８２６は、雑音除去ヘッドホンなどの電力供給される周辺機器オーディオ提示デバイスを含む（図７Ａに図示された）周辺機器オーディオ提示デバイス６２４をサポートする十分なシステム接点８２０を提供する。これによって、（図７Ａ及び図７Ｂに図示された）システム通信コネクタ６２２は、信号伝送及び電力供給される周辺機器オーディオ提示デバイスの動作電力の必要条件をサポートする十分なシステム接点８２０を提供することができる一方、（図７Ａ及び図７Ｂに図示された）デバイス通信コネクタ６２６が、任意の方向に、システム通信コネクタ６２２に対して少なくとも１つの完全な回転を介して回転される可能性を残している。システム接点８２２，８２４，８２６の同心円の接点配置は、すべてのコネクタの幾何学的な配置（geometries）について安定した性能を提供することができる。
【００７７】
代替として又は追加として、システム接点８２０は、図８Ｃに図示される同心円の（又は標的の）接点配置で提供されてもよい。図８Ｃに転じると、接点配置は、図８Ａの接点配置を参照して詳細に上述されたように、１つ又はそれ以上の半円形のシステム接点８２２，８２４の中に設けられる中央のシステム接点８２６を含む。上述したように、半円形のシステム接点８２２，８２４は、システム接点８２４を用いて示されるような均一なシステム接点の幅、及び／又はシステム接点８２２，８２４を用いて示されるような異なるシステム接点の幅で提供されてもよい。隣接するシステム接点８２２，８２４，８２６の間の間隔は、図８Ｃに図示されるように、均一であってもよく、又は図８Ｄに図示されるように、異なってもよい。
【００７８】
システム接点８２２，８２４，８２６は、任意の適切な接点配置及び／又は形状で提供されてもよい。例えば、図８Ｅは、システム接点８２０のための接点配置を示し、接点配置は、１つ又はそれ以上の円形のシステム接点８２２の中に設けられる複数の直線の中央のシステム接点８２４を含む。円形のシステム接点８２２は、図８Ａの接点配置を参照して詳細に上述されたように提供されてもよい。直線の中央のシステム接点８２４は、システム接点８２４の平行な配置として提供される。
【００７９】
図８Ｆに転じると、示される接点配置は、１つ又はそれ以上の円形のシステム接点８２２の中に設けられる中央のシステム接点８２６を含む。複数の内部のシステム接点８２４は、中央のシステム接点８２６の周りであり、かつ円形のシステム接点８２２の中に設けられるように示されている。内部のシステム接点８２４は、図８Ｆに図示されるように、中央のシステム接点８２６について均一に設けられてもよく、かつ／又は中央のシステム接点８２６について不規則に設けられてもよい。中央のシステム接点８２６及び内部のシステム接点８２４は、任意の所望の幾何的な形状、及び／又はサイズで提供されてもよい。例えば、図８Ｆに図示されるように、中央のシステム接点８２６及び内部のシステム接点８２４のそれぞれは、円形のシステム接点として提供される。図８Ｇでは、内部のシステム接点８２４は、パイ形のシステム接点として提供されるように示されている。
【００８０】
要望に応じて、Ｚ軸フィルム（図示せず。）が、分離型通信コネクタシステム８００に、好ましくは（図７Ａ及び図７Ｂに図示された）周辺機器通信コネクタ６２６の周辺機器接点８３０に適用されてもよい。Ｚ軸フィルムは、電気信号がＺ軸のＺ軸フィルムを介して通過することを可能にするが、電気信号が隣接する導体（又は接点又は配線）に広がることを抑制する。例示的なＺ軸フィルムは、マサチューセッツ州フォールリバーのパリコンテクノロジーコーポレイション（Paricon Technologies Corporation）によってＰａｒｉＰｏｓｅｒ（登録商標）材料から製造されている。Ｚ軸フィルムは、エラストマーマトリックス（elastomeric matrix）に支持される球形粒子の高度に組織化された導電性の柱（highly-organized conductive column）を含み、柔軟な相互接続（compliant interconnection）を提供する。ＰａｒｉＰｏｓｅｒ（登録商標）材料は、ゆがみが発生せず、かつ５万サイクルまでテストされている。有利に、ＰａｒｉＰｏｓｅｒ（登録商標）材料は、任意の凹凸を釣り合わせることができるわずかに柔らかい層を形成することができる。必要に応じて、はんだの１つ又はそれ以上の追加の層が、（図７Ｂに図示された）周辺機器ＰＣＢアセンブリ８３５上の導体（又は接点又は配線）に設けられて、周辺機器ＰＣＢアセンブリ８３５上にさらに平らな接続表面を提供してもよい。はんだの追加の層はさらに、導体（又は接点又は配線）の色を銀色に変化させることによって、周辺機器通信コネクタ６２６の美的な外観を加えることができる。
【００８１】
図９に転じると、統合オーディオ／ビデオ提示システム６００を実装するための一般的なハードウェア（又は回路基板）アーキテクチャ９００が示されている。ハードウェアアーキテクチャ９００は、有利に、ハードウェアアーキテクチャ９００が非常に適合性があるようにうする複数のユーザインターフェースシステム９１０を含む。要望に応じて、インターフェースシステム９１０の１つ又はそれ以上は、選択されたアプリケーションのためにハードウェアアーキテクチャ９００から除去されてもよい。図９に図示されるように、例示的なユーザインターフェースシステム９１０は、ステレオ（又はモノラル）ヘッドホンジャック（又はコネクタ）９１０Ａ１、及び／又は補助装置入力／出力オーディオコネクタ９１０Ａ２などの１つ又はそれ以上のオーディオインターフェースシステム９１０Ａを含んでもよい。ユーザインターフェースシステム９１０はさらに、少なくとも１つのデータインターフェースシステム９１０Ｂを有してもよい。データインターフェースシステム９１０Ｂは、ユニバーサルシリアルバス（ＵＳＢ）データインターフェースシステム９１０Ｂ１、及び／又はイーサネット（登録商標）データインターフェースシステム９１０Ｂ２を含む任意の従来のデータインターフェースシステムを備えてもよい。
【００８２】
データインターフェースシステム９１０Ｂの１つ又はそれ以上は、通信ネットワーク（図示せず。）と通信するように構成されてもよい。通信ネットワークは、任意の種類の電話ネットワーク、ローカルエリアネットワーク（ＬＡＮ）、ワイドエリアネットワーク（ＷＡＮ）、キャンパスエリアネットワーク（ＣＡＮ）、パーソナルエリアネットワーク（ＰＡＮ）、及び／又は無線ローカルエリアネットワーク（ＷＬＡＮ）を含む従来の有線及び／又は無線通信ネットワークとして提供されてもよい。例示的な無線ローカルエリアネットワークは、米国電気電子技術者協会（ＩＥＥＥ）規格８０２．１１に準拠するワイヤレスフィデリティ（Ｗｉ−Ｆｉ）ネットワーク、及び／又はＩＥＥＥ規格８０２．１６に準拠し、ＷｉＭａｘ無線ブロードバンドとしても知られる無線メトロポリタンエリアネットワーク（ＭＡＮ）を含む。高いデータ転送速度をサポートするように構成されることが好ましく、通信ネットワークは、少なくとも毎秒約１００メガビット（１００Ｍｂｐｓ）の典型的なデータ転送速度を有する任意のタイプの（１００Ｂａｓｅ−Ｘ及び／又は１００Ｂａｓｅ−Ｔなどの）ファーストイーサネット（登録商標）通信ネットワーク、及び／又は（１０００Ｂａｓｅ−Ｘ及び／又は１０００Ｂａｓｅ−Ｔなどの）ギガビットイーサネット（登録商標）通信ネットワークなどの高速イーサネット（登録商標）ネットワークを備えることが好ましい。無線通信環境で高いデータ転送速度を達成するために、要望に応じて、自由空間光通信（free-space optics）（又はレーザ）技術、ミリ波（又はマイクロ波）技術、及び／又はウルトラワイドバンド（ＵＷＢ）技術が、選択されたシステムリソース、乗り物情報システム３００、（図２Ａ及び図２Ｂに図示された）１つ又はそれ以上のコンテンツソース３１０、及び／又は（図２Ｂに図示された）３１０Ｃと通信するために利用されてもよい。
【００８３】
ユーザインターフェースシステム９１０はさらに、統合オーディオ／ビデオ提示システム６００をパーソナルメディアデバイス２００に接続するための少なくとも１つのインターフェースシステム９１０Ｃを備えてもよい。例えば、図９に図示されるように、インターフェースシステム９１０Ｃは、統合オーディオ／ビデオ提示システム６００をｉＰｈｏｎｅ（登録商標）デジタル電子メディアデバイス２００’に接続してもよい。インターフェースシステム９１０Ｃは、上記で参照した２００８年９月１２日に出願された代理人事件番号７００５４６．４０２９「ポータブルメディアデバイスを乗り物情報システムとインターフェースにより接続するためのシステム及び方法（ＳＹＳＴＥＭ  ＡＮＤ  ＭＥＴＨＯＤ  ＦＯＲ  ＩＮＴＥＲＦＡＣＩＮＧ  Ａ  ＰＯＲＴＡＢＬＥ  ＭＥＤＩＡ  ＤＥＶＩＣＥ  ＷＩＴＨ  Ａ  ＶＥＨＩＣＬＥ  ＩＮＦＯＲＭＡＴＩＯＮ  ＳＹＳＴＥＭ）」で示されかつ説明される方法を含む任意の従来の方法で提供されてもよい。これによって、ｉＰｈｏｎｅ（登録商標）デジタル電子メディアデバイス２００’は、詳細に上述されたように統合オーディオ／ビデオ提示システム６００と通信することができる。ハードウェアアーキテクチャ９００を用いて統合オーディオ／ビデオ提示システム６００を実装するための例示的なソフトウェアアーキテクチャ９２０が図６Ａに図示される。
【００８４】
説明された実施形態について、さまざまな変更および代替の形態の余地が存在し、本発明の具体的な実施例が、図面に例として示され、本明細書において詳しく説明されている。しかしながら、説明された実施形態が、本明細書に開示された特定の形態または方法に限定されるわけではなく、むしろ本開示があらゆる変更、均等物、および代案を包含することが理解されるべきである。
【図１】
2010539814.tif 000003
【図２Ａ】
2010539814.tif 000004
【図２Ｂ】
2010539814.tif 000005
【図３】
2010539814.tif 000006
【図４Ａ】
2010539814.tif 000007
【図４Ｂ】
2010539814.tif 000008
【図５Ａ】
2010539814.tif 000009
【図５Ｂ】
2010539814.tif 000010
【図６Ａ】
2010539814.tif 000011
【図６Ｂ】
2010539814.tif 000012
【図６Ｃ】
2010539814.tif 000013
【図６Ｄ】
2010539814.tif 000014
【図６Ｅ】
2010539814.tif 000015
【図６Ｆ】
2010539814.tif 000016
【図７Ａ】
2010539814.tif 000017
【図７Ｂ】
2010539814.tif 000018
【図８Ａ】
2010539814.tif 000019
【図８Ｂ】
2010539814.tif 000020
【図８Ｃ】
2010539814.tif 000021
【図８Ｄ】
2010539814.tif 000022
【図８Ｅ】
2010539814.tif 000023
【図８Ｆ】
2010539814.tif 000024
【図９】
2010539814.tif 000025
【図１０】
2010539814.tif 000026
【国際調査報告】
2010539814.tif 000027
2010539814.tif 000028
2010539814.tif 000029